(57)【要約】【課題】  ピアスピンから摘み抜き操作時に、ピン挟持箇所のピン挟持力の増大が生じないピアス用キャッチを提供する。【解決手段】  摘み力を著しく強めても潰れ変形するのは上側軟らかめ構造部位である。よって、下側硬め構造部位内にあるピン挟持箇所６ｃを指あたり部位１１より下方に位置させている、第１の挟持部６ａと第２の挟持部６ｂには影響がほとんど及ばない。よって、ピン挟持箇所６ｃの付勢挟持力が増大することはほとんど無く、ピンからの抜き操作に著しい抵抗が生じることはない。【選択図】  図１
2017086805.tif 000002
【特許請求の範囲】
【請求項１】
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部より小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記ピン挟持硬質体の最上部位置が、前記弾性構造体胴部の最上部位置より０．６ｍｍ以上下方に位置してなることを特徴とするピアス用キャッチ。
【請求項２】
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部より小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記弾性構造体上側凸部の上下幅が０．６ｍｍ〜２．０ｍｍであり、かつ、該弾性構造体上側凸部が指に掛かる鈍角部位又は鋭角部位を有する形態であり、前記鈍角部位および前記鋭角部位が湾曲角形態では半径０．５ｍｍ以下の湾曲角であることを特徴とするピアス用キャッチ。
【請求項３】
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部より小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記弾性構造体胴部の上下幅が１．３ｍｍ以上であり、かつ、前記ピン挟持硬質体の最上部位置が該弾性構造体胴部の中心位置より下方に位置してなることを特徴とするピアス用キャッチ。
【請求項４】
前記弾性構造体上側凸部が指に掛かる鈍角部位又は鋭角部位を有する形態であり、前記鈍角部位および前記鋭角部位が湾曲角形態では半径０．５ｍｍ以下の湾曲角であることを特徴とする請求項１又は３記載のピアス用キャッチ。
【請求項５】
前記弾性構造体胴部の下部側に該弾性構造体胴部より側部側に出っ張った形態の弾性構造体下側凸部を設け、前記弾性構造体下側凸部に前記ピン挟持硬質体の半分以上が位置してなることを特徴とする請求項１〜３又は４記載のピアス用キャッチ。
【請求項６】
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、
前記弾性構造体の弾性構造体胴部と、
前記弾性構造体の上部側を形成している側部に出っ張った形態の、前記弾性構造体を摘んだ指に掛かる部位である弾性構造体上側凸部と、
前記弾性構造体胴部の下部側に形成された、該弾性構造体胴部よりも小径の弾性構造体下側小径部と、
前記弾性構造体胴部の下部縁からなる、前記弾性構造体を摘んだ指が掛かる下指掛かり部と、を備えてなるとともに、
前記第１の挟持部と前記第２の挟持部の全部または一部が前記弾性構造体下側小径部内に位置し、
前記第１の挟持部と前記第２の挟持部のピンを挟持する箇所であるピン挟持箇所の位置が、前記弾性構造体下側小径部と前記弾性構造体胴部の境より下方に位置し、
前記弾性構造体胴部の上下幅が１．５ｍｍ以上であることを特徴とするピアス用キャッチ。
【請求項７】
弾性構造体上側凸部の表面に微細な凸凹からなる滑り止め部位が形成され、かつ、前記凸凹は鏡面凸凹であることを特徴とする請求項１〜５又は６記載のピアス用キャッチ。
【発明の詳細な説明】
【技術分野】
【０００１】
本発明は、ピアスのピアスピンが挿入されているピアス用キャッチを、親指と人差し指、で摘み該ピアスピンから抜く操作において、摘んでいる指の摘み力を強めても、ピン挟持箇所のピン挟持力が著しく強まって抜き難くなることが生じないピアス用キャッチに関する。
【背景技術】
【０００２】
図１３は、従来技術にかかるピアス用キャッチ＜Ａ＞（以下「キャッチ＜Ａ＞」という。）を示している。
従来技術である特許文献１で開示されているピアス用キャッチ（以下「キャッチ＜Ｂ＞」という。）の、図１３に記載のキャッチ＜Ａ＞と異なる点は、バネ部材＜１＞のピン挟持箇所＜４ｃ＞が環状凹部＜１１＞の中心位置（樹脂製弾性体＜９＞の中心位置でもある。）と同位置に位置しているものである。
キャッチ＜Ａ＞とキャッチ＜Ｂ＞は、ピン挟持箇所＜４ｃ＞の位置が相違するだけで、それ以外の構成は全て同じである。また、以下の図１３を用いた説明はキャッチ＜Ａ＞及びキャッチ＜Ｂ＞の双方に共通するため、構成はキャッチ＜Ａ＞についてのみ説明する。
また、以下の説明及び図１３において「＜＞」で囲った符号は、特許文献１に記載の符号であり、「＜アルファベット＞」の符号は出願人が便宜上付与したものもある。
【０００３】
まず、図１３を参照してキャッチ＜Ａ＞について説明する。
キャッチ＜Ａ＞は、樹脂製弾性体＜９＞と、樹脂製弾性体＜９＞の内に射出成型等で一体成型により内設された金属製のバネ部材＜１＞と、から構成されている。
樹脂製弾性体＜９＞は、上部側を上側湾曲凸部＜ｄ＞とし、下部側を下側湾曲凸部＜ｅ＞とし、上側湾曲凸部＜ｄ＞と下側湾曲凸部＜ｅ＞の間に凹湾曲形態で連絡してなる環状凹部＜１１＞を形成している。
バネ部材＜１＞は、中央部にピン＜７＞が通るピン穴＜５＞を形成した金属製の基板＜３＞と、この基板＜３＞の左右側部から湾曲起こし形態でカールさせて形成した一対の湾曲部＜４＞（第１の湾曲部＜４ａ＞、第２の湾曲部＜４ｂ＞）と、基板＜３＞に開けられたピン穴＜５＞と、からなっている。
樹脂製弾性体＜９＞には、ピン穴＜５＞および第１の湾曲部＜４ａ＞と第２の湾曲部＜４ｂ＞間を貫く、挿入されるピン＜７＞よりも小孔径のピン挿入穴＜１０＞が形成されている。
ピン挿入穴＜１０＞に挿入されたピン＜７＞は、第１の湾曲部＜４ａ＞と第２の湾曲部＜４ｂ＞によるピン挟持箇所＜４ｃ＞で挟持される。湾曲部＜４＞は金属製の比較的硬く変形しにくい材料である。
ピン＜７＞がピン挿入穴＜１０＞に挿入されると、第１の湾曲部＜４ａ＞と第２の湾曲部＜４ｂ＞はピン＜７＞によって外側に押され動く。このとき樹脂製弾性体＜９＞の弾性反発力が第１の湾曲部＜４ａ＞と第２の湾曲部＜４ｂ＞に働くため、ピン挿入穴＜１０＞に挿入されたピン＜７＞は、硬い第１の湾曲部＜４ａ＞と第２の湾曲部＜４ｂ＞のピン挟持箇所＜４ｃ＞で強めに挟持される。
樹脂製弾性体＜９＞の底部材である基板＜３＞には、ピン＜７＞をピン挿入穴＜１０＞に導入するためのすり鉢状の凹部＜１２＞が形成されている。
【０００４】
樹脂製弾性体＜９＞の中心に環状凹部＜１１＞が配置され、その環状凹部＜１１＞の中心位置から下方位置にピン挟持箇所＜４ｃ＞が配置されている。
上側湾曲凸部＜ｄ＞と下側湾曲凸部＜ｅ＞は同径同形態であり、その上下幅は環状凹部＜１１＞の上下幅より広い形態となっている。
また、環状凹部＜１１＞と上側湾曲凸部＜ｄ＞および下側湾曲凸部＜ｅ＞の連絡は、鈍角の無い滑らかな湾曲連絡形態となっている。
【０００５】
バネ部材＜１＞がそのピン挟持箇所＜４ｃ＞を環状凹部＜１１＞の中心位置＜Ｃ＞より下方側に位置され、その底部である基板＜３＞の底部面がすり鉢状の凹部＜１２＞に露出形態とされている。
キャッチ＜Ａ＞として、樹脂製弾性体＜９＞が大きい大キャッチと、小さい小キャッチの二種類が知られている。
バネ部材＜１＞は、樹脂製弾性体＜９＞が小キャッチに内設のものは小さく、大キャッチに内設のものはそれより大きい形態である。
【０００６】
環状凹部＜１１＞の上下幅は、上側湾曲凸部＜ｄ＞と環状凹部＜１１＞とをつなぐ連絡部の高さ方向の中心位置から、環状凹部＜１１＞と下側湾曲凸部＜ｅ＞とをつなぐ連絡部の高さ方向の中心位置までの距離である。
【０００７】
キャッチ＜Ａ＞の小キャッチの寸法は、
樹脂製弾性体＜９＞の上下幅４．０ｍｍ、
上側湾曲凸部＜ｄ＞および下側湾曲凸部＜ｅ＞の胴幅（横幅）５．４ｍｍ、
上側湾曲凸部＜ｄ＞の上下幅は１．５ｍｍ
上側湾曲凸部＜ｄ＞の指が掛かる側面部位はＲ（半径）０．９ｍｍの湾曲角形態、
下側湾曲凸部＜ｅ＞の上下幅は１．４ｍｍ、
環状凹部＜１１＞の胴幅４．５ｍｍ、
環状凹部＜１１＞の上下幅１．１ｍｍ、
環状凹部＜１１＞の凹深さ０．４５ｍｍである。
【０００８】
また、キャッチ＜Ａ＞の小キャッチは、バネ部材＜１＞の最上部が環状凹部＜１１＞の最上部位置から下方に０．２５ｍｍである。
また、ピン挟持箇所＜４ｃ＞が環状凹部＜１１＞の中心位置＜Ｃ＞より０．５３ｍｍ下方位置である。
【０００９】
キャッチ＜Ａ＞の大キャッチの寸法は、
樹脂製弾性体＜９＞の上下幅５．０ｍｍ、
上側湾曲凸部＜ｄ＞および下側湾曲凸部＜ｅ＞の胴幅（横幅）６．７ｍｍ、
上側湾曲凸部＜ｄ＞の上下幅は２．０ｍｍ、
下側湾曲凸部＜ｅ＞の上下幅は１．７ｍｍ、
上側湾曲凸部＜ｄ＞の指が掛かる側面部位はＲ（半径）１．０ｍｍの湾曲角形態、
環状凹部＜１１＞の胴幅５．７ｍｍ、
環状凹部＜１１＞の上下幅１．３ｍｍ、
環状凹部＜１１＞の凹深さ０．５ｍｍである。
【００１０】
また、キャッチ＜Ａ＞の大キャッチは、バネ部材＜１＞の最上部が環状凹部＜１１＞の最上部位置から下方に０．２７ｍｍである。
また、ピン挟持箇所＜４ｃ＞が環状凹部＜１１＞の中心位置＜Ｃ＞より０．６３ｍｍ下方位置である。
【先行技術文献】
【特許文献】
【００１１】
【特許文献１】特許第５０４１７４８号公報
【発明の概要】
【発明が解決しようとする課題】
【００１２】
以下に、樹脂製弾性体＜９＞を、第１の湾曲部＜４ａ＞（第１の挟持部）と第２の湾曲部＜４ｂ＞（第２の挟持部）の側方（図１３では右側と左側）から、親指と人差し指で摘んだ場合に生じる状態について述べる（図１３参照）。
【００１３】
≪キャッチ＜Ａ＞≫
ピン＜７＞がピン挿入穴＜１０＞に挿入されているピン挿入状態の樹脂製弾性体＜９＞を、親指と人差し指で摘み「以下「摘み」、「摘む」、「摘んで」ないし「摘んだ」等という。）、該ピン＜７＞から抜くピンからの抜き操作時の、該樹脂製弾性体＜９＞の摘み形態は以下のようである。
キャッチ＜Ａ＞が小キャッチでは５．４ｍｍ×４．０ｍｍ、大キャッチでは６．７ｍｍ×５．０ｍｍと小さいため、摘んだ指の両指先は下側湾曲凸部＜ｅ＞の下部側を下方に越えて摘んだ状態である下側凸部指掛かり摘み形態となるものである。
この下側凸部指掛かり摘み形態となる理由は、（ア）下側湾曲凸部＜ｅ＞の下部角（下部縁）が小キャッチでは半径（Ｒ）１．０ｍｍ、大キャッチでは半径（Ｒ）０．９ｍｍと大きく湾曲した湾曲下部角であり、（イ）上側湾曲凸部＜ｄ＞と下側湾曲凸部＜ｅ＞とが同じ太さで、（ウ）環状凹部＜１１＞の上下幅が１．１ｍｍないし１．３ｍｍと狭く、（エ）環状凹部＜１１＞と上側湾曲凸部＜ｄ＞および下側湾曲凸部＜ｅ＞の連絡が滑らかな湾曲連絡形態であり、（オ）摘み指からみて上下距離が４ｍｍ〜５ｍｍと小さい形態の樹脂製弾性体＜９＞は、摘む指に対して実質的には湾曲下部角形態のストレート構造体であるためである。
湾曲下部角形態のストレート構造体の４ｍｍ〜５ｍｍの小さなキャッチ＜Ａ＞を摘む場合、樹脂製弾性体＜９＞が指から抜けないようにするために、最も指掛かりが大きい箇所である下側湾曲凸部＜ｅ＞の最大突出部位よりも下方の内向き傾斜面に、指先が強くかかるような摘み動作とならざるを得ないものでもある。
このようにキャッチ＜Ａ＞からピンを抜く際には、下側湾曲凸部＜ｅ＞の下部の内向き傾斜部分に指先が強くかかった状態でキャッチ＜Ａ＞を保持することにより、ピアスピンを抜く操作を容易に行うことができる。
【００１４】
上側湾曲凸部＜ｄ＞は、小キャッチでは半径（Ｒ）０．９ｍｍ、大キャッチでは半径（Ｒ）１．０ｍｍという肉厚で鈍角の無い緩やかな湾曲突起形態である。
このような肉厚で緩やかな湾曲の湾曲突起形態は、指の摘まみ力を強めても潰れ変形が小さく、かつ、上方に反り逃げるような変形は緩やかな湾曲による滑りも加わって殆ど生じないものである。よって、指も上方への逃げが生じることがなく、よってフィット感が悪く下側湾曲凸部＜ｅ＞およびバネ部材＜１＞（ピン挟持硬質体）の位置に指が位置して、それを強く摘まむことになるものである。
【００１５】
したがって、摘んだ指の摘み力を強めると、上側軟らかめ構造部位（上側湾曲凸部＜ｄ＞）部位はほんのわずか潰れ変形し、下側硬め構造部位（環状凹部＜１１＞と下側湾曲凸部＜ｅ＞）は上側湾曲凸部＜ｄ＞の変形よりは小さな変形ないし殆ど変形しないものとなる。
そのまま、摘み力を強めると当然キャッチ＜Ａ＞は指から押し出されて行く動き（指から抜ける動き）となる。
この押し出されて行く動きを止めるためには、下側硬め構造部位（特に下側湾曲凸部＜ｅ＞）側を強く摘み、該下側湾曲凸部＜ｅ＞の下部側に指肉を回し込む摘み動作になる。
そして、下側硬め構造部位（特に下側湾曲凸部＜ｅ＞）側を強く摘むと、そこの内側に位置しているバネ部材＜１＞への両側部側からの押力が強まり、上側湾曲凸部＜ｄ＞と下側湾曲凸部＜ｅ＞のピン挟持箇所＜４ｃ＞のピン挟持力が著しく強まり、ピンからの抜く操作抵抗が著しく強まってしまうピン挟持力増強動作となるものである。
【００１６】
キャッチ＜Ａ＞は４ｍｍ〜５ｍｍと小さいく、キャッチを摘んでピンを抜く操作においては、環状凹部＜１１＞は上下の幅が狭くかつ湾曲角が小キャッチでは半径（Ｒ）０．９ｍｍ、大キャッチでは半径（Ｒ）１．０ｍｍという鈍角の無い上側湾曲凸部＜ｄ＞との緩やかな湾曲連絡であるため、上側湾曲凸部＜ｄ＞への指の掛かりが弱い。よって、上側湾曲凸部＜ｄ＞は指肉が掛かる指掛かり部位（爪掛かりを除く）としての機能は弱いものである。
また、下側湾曲凸部＜ｅ＞の下部面に指を掛けないで摘んだ場合、または上側湾曲凸部＜ｄ＞、環状凹部＜１１＞および下側湾曲凸部＜ｅ＞の側部面のみに指を掛けて摘んだ場合には、摘む力を強めるとキャッチ＜Ａ＞が容易に指から滑り抜け落ちてしまうものである。
【００１７】
また、キャッチ＜Ａ＞は、硬質部材であるバネ部材＜１＞を樹脂製弾性体＜９＞の胴部に位置させた形態であり、かつ、バネ部材＜１＞の最上部位置が、環状凹部＜１１＞の最上部位置から下方に小キャッチでは０．２５ｍｍ、大キャッチでは０．２７ｍｍ（弾性構造体胴部）と極めて狭い配置とされている。
このため、環状凹部＜１１＞（弾性構造体胴部）は全体が、バネ部材＜１＞による硬めの構造となっており、かつ、バネ部材＜１＞位置する下側湾曲凸部＜ｅ＞も硬め構造部位となっている。
【００１８】
すなわち、硬質のバネ部材＜１＞が位置する環状凹部＜１１＞および下側湾曲凸部＜ｅ＞は下側硬め構造部位を形成し、バネ部材＜１＞の配置の無い上側湾曲凸部＜ｄ＞部位は上側軟らかめ構造部位を形成し、かつ、上側軟らかめ構造部位の下側硬め構造部位に連絡する部位である、バネ部材＜１＞の最上部位置と環状凹部＜１１＞の最上部位置（＝上側湾曲凸部＜ｄ＞の最下部位置）のキャッチ離れ区間は、小キャッチでは０．２５ｍｍ、大キャッチでは０．２７ｍｍという狭いキャッチ離れ距離であるものである。
このため、キャッチ＜Ａ＞は、狭いそのキャッチ離れ区間は摘まみ力によって伸びることは殆んど無いないものであり、かつ、上側湾曲凸部＜ｄ＞の上方逃げ変形が生じ難いことによって、指の摘み力強め操作では下側硬め構造部位も強く摘まむことになり、ピン挟持箇所＜４ｃ＞のピン挟持力が著しく強まってしまうピン挟持力増強動作になるものである。
【００１９】
また、キャッチ＜Ｂ＞に関して、特許文献１の段落［００１８］において、「ピン＜７＞を受ける際には、キャッチの外周に形成されている環状凹部＜１１＞を指先や爪の先で摘むことができる」と記載されている。
しかし、実際には下側湾曲凸部＜ｅ＞の下部面に指を掛けず、指先（指先肉）を環状凹部＜１１＞に位置させて摘まもうとしても、摘み力を強めると即指から滑り抜け落ちるため、指肉での摘みではピンを抜く操作がし難いものである。
これに対し、親指爪と人差し指爪を環状凹部＜１１＞に入れて摘むと、比較的しっかりとキャッチを摘むことができ、容易に抜き操作を行うことができる。
よって、キャッチ＜Ａ＞、＜Ｂ＞ともに、環状凹部＜１１＞は「爪掛かり部」ないし「爪摘み部」として機能するものであり、指肉に掛かる「指摘み部」としては機能しないものであるとするのが相当であるものである。
【００２０】
爪が長い人、爪に付けたネイルが長い人は、指先や爪で摘むことが難しいので、通常は、爪同士が当たらない親指と人差し指の横腹部位同士で摘む指横腹部位摘み形態（図５の図（ｂ）参照）。）にして、ピンからの着脱操作をおこなっている。
かかる指横腹部位摘み形態では、キャッチ＜Ａ＞、＜Ｂ＞は前述したように摘み力を強めると指から押し出され抜け落ちてしまう。
【００２１】
≪キャッチ＜Ｂ＞について≫
特許文献１のキャッチ＜Ｂ＞では、第１の湾曲部＜４ａ＞および第２の湾曲部＜４ｂ＞の上下方向のほぼ中心位置にある挟持箇所＜４ｃ＞は、環状凹部＜１１＞の中心位置＜Ｃ＞とほぼ同じ位置にある。また、第１の湾曲部＜４ａ＞および第２の湾曲部＜４ｂ＞の最上部であるバネ部材＜１＞の最上部は環状凹中心位置＜Ｃ＞より上方に位置している。
【００２２】
また、樹脂製弾性体＜９＞内のバネ部材＜１＞の最上部が環状凹部＜１１＞の最上部位置から上方に位置している。大キャッチでは０．４３ｍｍ、小キャッチでは０．３７ｍｍの位置である。
【００２３】
よって、バネ部材＜１＞がある環状凹部＜１１＞付近は、該硬質のバネ部材＜１＞により、変形し難い中央硬めの構造となっている。
このようなバネ部材＜１＞が中心に位置している形態においても、キャッチ＜Ｂ＞を摘んだときの摘み力による内側への押圧力が、該バネ部材＜１＞に強く作用する。従って、前記したキャッチ＜Ａ＞で述べたことと同様なピン挟持力増強動作となるものである。
【００２４】
本発明は以上のような従来技術の欠点に鑑み、弾性構造体を指で摘みその摘み力を強めてのピンからの抜き操作において、ピン挟持箇所のピン挟持力が著しく増大して著しく抜き難くなることが生じないピアス用キャッチを提供することを目的としている。
【課題を解決するための手段】
【００２５】
上記目的を達成するために、本発明は次に述べるような構成となっている。
＜請求項１記載の発明＞
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部より小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記ピン挟持硬質体の最上部位置が、前記弾性構造体胴部の最上部位置より０．６ｍｍ以上下方に位置してなることを特徴とするピアス用キャッチである。
【００２６】
「弾性材料」は、シリコンゴム製部材、天然ゴム製部材、合成ゴム製部材、弾性合成樹脂製部材などである。
「ピン挿入孔」は、止り孔形態、貫通孔形態を含む。
弾性構造体へのピン挟持硬質体の内設形態は、全部位を埋設した全部位埋設形態、一部を弾性構造体の底部から露出した一部露出形態を含む。
また、「弾性材料からなる上下距離が３．５ｍｍ〜１０．０ｍｍ、横幅が３．５ｍｍ〜１０．０ｍｍの弾性構造体」の前記距離は、弾性構造体の最も上下距離の長い部位の上下距離であり、最も横幅が長い部位の横幅距離である。
これらのことは、以下の請求項の発明においても同様である。
【００２７】
＜請求項２記載の発明＞
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部より小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記弾性構造体上側凸部の上下幅が０．６ｍｍ〜２．０ｍｍであり、かつ、該弾性構造体上側凸部が指に掛かる鈍角部位又は鋭角部位を有する形態であり、前記鈍角部位および前記鋭角部位が湾曲角形態では半径０．５ｍｍ以下の湾曲角であることを特徴とするピアス用キャッチである。
【００２８】
＜請求項３記載の発明＞
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部より小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記弾性構造体胴部の上下幅が１．３ｍｍ以上であり、かつ、前記ピン挟持硬質体の最上部位置が該弾性構造体胴部の中心位置より下方に位置してなることを特徴とするピアス用キャッチである。
【００２９】
＜請求項４記載の発明＞
前記弾性構造体上側凸部が指に掛かる鈍角部位又は鋭角部位を有する形態であり、前記鈍角部位および前記鋭角部位が湾曲角形態では半径０．５ｍｍ以下の湾曲角であることを特徴とする請求項１又は３記載のピアス用キャッチ。
【００３０】
＜請求項５記載の発明＞
前記弾性構造体胴部の下部側に該弾性構造体胴部より側部側に出っ張った形態の弾性構造体下側凸部を設け、前記弾性構造体下側凸部に前記ピン挟持硬質体の半分以上が位置してなることを特徴とする請求項１〜３又は４記載のピアス用キャッチである。
【００３１】
＜請求項６記載の発明＞
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、
前記弾性構造体の弾性構造体胴部と、
前記弾性構造体の上部側を形成している側部に出っ張った形態の、前記弾性構造体を摘んだ指に掛かる部位である弾性構造体上側凸部と、
前記弾性構造体胴部の下部側に形成された、該弾性構造体胴部よりも小径の弾性構造体下側小径部と、
前記弾性構造体胴部の下部縁からなる、前記弾性構造体を摘んだ指が掛かる下指掛かり部と、を備えてなるとともに、
前記第１の挟持部と前記第２の挟持部の全部または一部が前記弾性構造体下側小径部内に位置し、
前記第１の挟持部と前記第２の挟持部のピンを挟持する箇所であるピン挟持箇所の位置が、前記弾性構造体下側小径部と前記弾性構造体胴部の境より下方に位置し、
前記弾性構造体胴部の上下幅が１．５ｍｍ以上であることを特徴とするピアス用キャッチである。
【００３２】
＜請求項７記載の発明＞
弾性構造体上側凸部の表面に微細な凸凹からなる滑り止め部位が形成されてなることを特徴とする請求項１〜５又は６記載のピアス用キャッチである。
【発明の効果】
【００３３】
本発明は次に述べるような効果を奏する。
＜請求項１記載の発明の効果＞
（１）ピン挟持硬質体の最上部位置が、弾性構造体胴部の最上部位置より１ｍｍ以上（従来技術の３倍以上）下方に位置してなる広い上下距離となっている。
よって、弾性構造体上側凸部と弾性構造体胴部の１ｍｍ以上の部位が、ピン挟持硬質体の無い弾性構造体のみの上側軟らかめ構造部位を形成している。それより下側はピン挟持硬質体を有する下側硬め構造部位を形成している。
よって、親指と人差さ指で弾性構造体上側凸部と弾性構造体胴部を摘み、その摘み力を強めると、上側軟らかめ構造部位は潰れ変形するともに、弾性構造体上側凸部には押し上げ作用が働き、下側硬め構造部位には押し下げ作用が働き、上側軟らかめ構造部位を形成している弾性構造体胴部（以下「軟らか構造形成胴部位」という。）は指による押し潰し作用と前記押し上げ作用と前記押し下げ作用によって、上下方向に伸びる伸び形態（以下「胴部伸び形態」という。）となる。
また、弾性構造体上側凸部の下部も上方に押され反り上がった反り逃げ形態となる。
【００３４】
前記胴部伸び形態では、ピン挟持硬質体が位置している下側硬め構造部位は下方へ押し逃がす形態であるので、摘み指の摘み力がピン挟持硬質体に直接的には作用することが無いないし小さい挟持力非作用形態となる。
よって、親指と人差し指で弾性構造体を摘んでその摘み力を強めてピンから抜き操作を行う際に、ピン挟持体のピン挟持力を直接的には強めることのないピアス用キャッチを実現している。
また、胴部伸び形態によって摘み指による摘み感が、確りとした安定感、安心感のあるもの、フィット感のある摘み持ちやすさが良好なピアス用キャッチを実現している。
【００３５】
キャッチの親指と人差し指による摘み形態は指先による摘み形態以外に、指横腹部位摘み形態がある。
これは、爪が長いないし長いネイルを付けているなどによって、指先では摘まめないので、爪同士が当たらない親指と人差し指の横腹部位同士で摘む指横腹部位摘み形態である（図５の図（ｂ）参照）。
このような指横腹部位摘み形態でも、本発明はフィット感の良い摘み持ちと抜き易さを実現する。
【００３６】
＜請求項２載の発明の効果＞
弾性構造体上側凸部の上下幅が０．６ｍｍ〜２．０ｍｍであり、かつ、該弾性構造体上側凸部が指に掛かる鈍角部位又は鋭角部位を有する形態であり、前記鈍角部位および前記鋭角部位が湾曲角形態では半径０．５ｍｍ以下の湾曲角である。
よって、弾性構造体上側凸部の鈍角部位又は鋭角部位が、指の摘まみ力を強めるとより指に食い込み、滑り難い摩擦大の強い掛かり状態となる。この強い掛かり状態により上下幅０．６ｍｍ〜２．０ｍｍの弾性構造体上側凸部は上方（図において）に反り逃げる反り逃げ形態となり、その反り逃げ距離だけ指の摘み部位がピン挟持硬質体から離れる指逃げ形態とになる。この指逃げ形態によってピン挟持硬質体の直接的抑え込みが回避され、ピン挟持体のピン挟持力を直接的には強めることのないピアス用キャッチを実現する。また、摘み力の低減化、フィット感と摘み持ちやすさの向上を実現する。
【００３７】
＜請求項３載の発明の効果＞
弾性構造体胴部の上下幅が１．３ｍｍ以上であり、かつ、ピン挟持硬質体の最上部位置が該弾性構造体胴部の中心位置より下方に位置してなる形態である。
よって、弾性構造体胴部とピン挟持硬質体の最上部位置との距離は０．６５ｍｍ以上（１．３÷２）である。０．６５ｍｍ以上は、特許文献１の発明の大キャッチの０．２７ｍｍ、小キャッチの０．２５ｍｍの、２倍以上の距離である。
すなわち、弾性構造体胴部のピン挟持硬質体の無い上側軟らかめ構造部位の上下距離が０．６５ｍｍ以上と長いので、該上側軟らかめ構造部位が伸びやすい形態となっている。この上側軟らかめ構造部位が伸びやすい形態によって、指の摘まみ力を強めると該上側軟らかめ構造部位が伸び、その伸びた距離だけ指の摘み部位がピン挟持硬質体から離れる指逃げ形態とになる。この指逃げ形態によってピン挟持硬質体の直接的抑え込みが回避され、ピン挟持体のピン挟持力を直接的には強めることのないピアス用キャッチを実現する。また、摘み力の低減化、フィット感と摘み持ちやすさの向上を実現する。
【００３８】
＜請求項４載の発明の効果＞
請求項１又は３記載の発明と同様な効果を奏するともに、弾性構造体上側凸部の鈍角部位または鋭角部位によって指への掛かりを強くなるので、弾性構造体上側凸部の滑り難さを実現し、その反り逃げ形態もより大きくなる。
よって、摘み力の低減化、フィット感と摘み持ちやすさの向上を実現する。
【００３９】
＜請求項５記載の発明の効果＞
請求項１〜３又は４記載の発明と同様な効果を奏するとともに、次に述べるような効果を奏する。
（１）弾性構造体下側凸部で指先が外側に逃がされ、該弾性構造体下側凸部の側部を強く摘むことが回避されるので、ピン挟持硬質体への影響が弱められる。
また、弾性構造体下側凸部に当たっている指先の押力によって該弾性構造体下側凸部が下方に押し下げられ、横押しの作用を下方に逃がすので、ピン挟持硬質体への影響が弱められる。
弾性構造体下側凸部の横肉厚によって指の摘み力が緩和され、ピン挟持硬質体への影響が緩和される。
【００４０】
（２）弾性構造体下側凸部にピン挟持硬質体の半分以上が位置した形態であるので、ピン挟持硬質体に付勢力を与える弾性体構造部位の側部厚みを弾性構造体下側凸部によって十分に確保することができる。
これによって、ピン挟持硬質体周辺の強度を考慮することなく、弾性体構造体胴部の胴太さの一部ないし全部を、細い形態（くびれを含む）とすることを可能としている。例えばピン挟持硬質体の横幅よりも細い胴部とすることも可能とする。
細い胴部とすることによって、弾性体構造体胴部をより伸びやすく、伸びの大きいものとすることを可能とする。
【００４１】
＜請求項６記載の発明の効果＞
弾性構造体を摘んだ指は最下部の内側に凹位置している弾性構造体下側小径部には届かない、または届いても摘み力が強く作用することが無い。
そして、摘んだ指は弾性構造体上側凸部と下指掛かり部の二箇所が食い込み掛かる摘み掛かり形態となるので、強く摘まなくても掛かり摩擦が大きいので容易に抜き操作が行える。
また、強く摘まなくてよい形態によって、第１の挟持部と第２の挟持部への摘み力の影響を小さいものとしている。
【００４２】
そして、ピン挟持箇所が弾性構造体下側小径部と弾性構造体胴部の境より下方に位置しているので、ピン挟持箇所の真横からの抑え込み作用は無い、ないし極めて小さいものとなるので、摘み抜き操作時にピン挟持箇所の挟持力が著しく強くなることが生じない。
【００４３】
＜請求項７記載の発明の効果＞
請求項１〜５又は６記載の発明と同様な効果を奏するとともに、弾性構造体上側凸部の表面に形成された微細な凸凹からなる滑り止め部位は、摘んだ指の滑り難さと指掛かりを強化し、よって摘み易さと抜き操作易さを大きく向上したものとしている。
また、上型、弾性構造体上側凸部と弾性構造体胴部が形成される非分割の中型、下型で形成する形態では、前記中型からの抜き易さを実現している。
【図面の簡単な説明】
【００４４】
【図１】本発明の実施例１の平面図（ａ）および正面図（ｂ）。
【図２】本発明の実施例１の右側面図（ａ）および底面図（ｂ）。
【図３】本発明の実施例１のピアスピンを通した状態の正面図。
【図４】本発明の実施例１の中央縦断面図。
【図５】本発明の実施例１の強めに摘んだ状態例図（ａ）および親指と人差し指の横原で摘んだ状態を示す斜視図（ｂ）。
【図６】本発明の実施例１の成型金型を示す断面図。
【図７】本発明の実施例２の平面図（ａ）および正面図（ｂ）。
【図８】本発明の実施例３の正面図。
【図９】本発明の実施例４の正面図。
【図１０】本発明の実施例５の部分断面正面図。
【図１１】本発明の実施例６の正面図。
【図１２】本発明の実施例７の正面図。
【図１３】従来技術を示す断面図（ａ）および寸法図（ｂ）。
【発明を実施するための形態】
【００４５】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【００４６】
各図において、透明な弾性構造体の内側に見える部材および部位は細線で表現している。
また、挟持箇所の付勢挟持力増強は、弾性構造体を摘んだ指の摘み箇所が第１の挟持部と第２の挟持部の側方箇所（図では左側、右側）である場合に生じる現象である。正面側と背面側からの摘みでは起きない。
【実施例１】
【００４７】
図１〜６に示す本発明の実施例において、ピアス用キャッチ１は次に述べるような構成となっている。
シリコンゴム製部材、天然ゴム製部材、合成ゴム製部材、弾性合成樹脂製部材などの、指で摘んだその摘み力を強めると弾性変形する弾性材料からなる、指で摘んでピアスピンであるピン３への挿入と抜き操作を行う弾性構造体２と、
この弾性構造体２の底部から上方に向けて設けられた、ピン３を挿入するピン挿入孔４４と、
弾性構造体２の上部側を形成している、弾性構造体２を摘んだ指に食い込み掛かる、側部に全周に渡り出っ張った形態で下部角が略直角（鈍角であればよい）の弾性構造体上側凸部１０と、
弾性構造体２の弾性構造体上側凸部１０より下方を形成している、該弾性構造体上側凸部１０より小幅形態の弾性構造体胴部８と、
この弾性構造体胴部８の下部に形成された側部に全周に渡り出っ張った形態の、弾性構造体上側凸部１０より横突出幅が大とされた弾性構造体下側凸部９と、
この弾性構造体下側凸部９の上部面、該上部面と弾性構造体胴部８の連絡面、または該上部面と該連絡面とからなる、弾性構造体２を摘んだ指の指先を止める指あたり部位１１と、
弾性構造体下側凸部９内に半部以上を位置させて一体成型により内設された、ピン挿入孔４に挿入状態にあるピン３を対抗挟持形態で挟持する、プレート強靭化のためのビード１５が形成されている第１の挟持部６ａと第２の挟持部６ｂを有してなる硬質製部材からなるピン挟持硬質体６と、
第１の挟持部６ａと第２の挟持部６ｂのピン３を挟持する箇所であるピン挟持箇所６ｃと、を備えた構成となっている。
【００４８】
第１の挟持部６ａと第２の挟持部６ｂはその内側と周囲も含めて弾性構造体２が充填密着した一体構造体となっている。
これにより、挿入されたピン３は第１の挟持部６ａと第２の挟持部６ｂを横外向きに押しのけて挿入される。
このピン３の挿入では、硬質性部材ある第１の挟持部６ａと第２の挟持部６ｂは変形することなく、弾性構造体２を押しのけ変形させながら横外方向に開き移動される。
弾性構造体２には第１の挟持部６ａと第２の挟持部６ｂをその弾性反発力で押し戻そうとする弾性押し戻し力が常に作用した状態となり、この弾性押し戻し力によって第１の挟持部６ａと第２の挟持部６ｂのピン３を挟持する挟持力が強められている。
【００４９】
弾性構造体２は円柱形態であるのでその各部位の横幅は直径である。
弾性構造体２の寸法は、上下幅５．０ｍｍ、横幅５．５ｍｍ。
弾性構造体下側凸部９の上下幅１．８ｍｍ（１．５５＋０．２５）、横幅５．５ｍｍ、上部縁角１６の湾曲カットはＲ０．２５ｍｍの鈍角。
上部連絡部７の上下幅０．５５ｍｍ。
下部連絡部１６の上下幅０．５ｍｍ。
弾性構造体上側凸部１０の上下幅０．９７５ｍｍ、横幅５．０ｍｍ。
弾性構造体胴部８は上下幅２．５５ｍｍ、胴径４．５ｍｍ。（弾性構造体胴部と弾性構造体上側凸部の間に傾斜連絡部（湾曲を含む）がある形態は、該傾斜連絡部の中心位置から下方を弾性構造体胴部である。弾性構造体胴部と弾性構造体下側凸部との間に傾斜連絡部がある形態も同様である。）
弾性構造体胴部８の胴深さは、弾性構造体上側凸部１０からは０．２５ｍｍ、弾性構造体下側凸部９からは０．７５ｍｍ。
ピン挟持硬質体６は、高さ１．８ｍｍ、幅４．０ｍｍ。
【００５０】
本発明は前記寸法に限定されるものではない。
弾性構造体の高さは、３．５ｍｍ〜１０．０ｍｍ、好ましくは４．０ｍｍ〜８．０ｍｍ、より好ましくは４．５ｍｍ〜６．５ｍｍがよい。
弾性構造体の横幅は、３．５ｍｍ〜１０．０ｍｍ、好ましくは４．０ｍｍ〜８．０ｍｍ、より好ましくは４．０ｍｍ〜６．５ｍｍがよい。
弾性構造体上側凸部の横幅は、３．０ｍｍ〜８．０ｍｍ、好ましくは３．５ｍｍ〜７．０ｍｍ、より好ましくは４．０ｍｍ〜６．５ｍｍがよい。
弾性構造体胴部の高さは、１．３ｍｍ以上、好ましくは１．６ｍｍ以上、より好ましくは１．８ｍｍ以上がよい。
弾性構造体胴部の太さは、直径２．０ｍｍ〜６．５ｍｍ、好ましくは２．５ｍｍ〜５．５ｍｍ、より好ましくは３．０ｍｍ〜５．０ｍｍがよい。
【００５１】
弾性構造体上側凸部１０は上下幅０．９７５ｍｍとしている。
それは、２．０ｍｍ以上だと幅広（厚肉）のため上方への反り逃げが悪くなり、０．６ｍｍ以下だと凸部の潰れ変形が大きすぎて指への掛かり（食い込み）が悪くなるからである。
適当な反り逃げが得られる弾性構造体上側凸部１０の上下幅は、０．６ｍｍ〜２．０ｍｍ、好ましくは、０．６ｍｍ〜１．７ｍｍ、より好ましくは０．６ｍｍ〜１．５ｍｍ、さらに好ましくは０．７ｍｍ〜１．２ｍｍとするのがよい。
また、弾性構造体上側凸部１０の下部側の指掛かり部位または指食い込み部位は、鈍角形態ないし鋭角形態とするのがよく、該鈍角形態および鋭角形態は湾曲角形態では半径０．５ｍｍ以下の湾曲角とするのが、良好な指への掛かり状態を得るものとできる。
【００５２】
弾性構造体上側凸部１０の頂部形態は、緩やかな湾曲面としている。これによって、中のピン挟持硬質体６が大きく見える凸レンズの機能を果たしている。また、緩やかな湾曲面とすることで、弾性構造体上側凸部１０の上下肉厚幅を、摘み時の掛かりと反り逃げが好適となる厚さにしている。
【００５３】
（１）ピン挟持硬質体６の最上部位置が、弾性構造体胴部８の最上部位置より１．７２５ｍｍ下方（０．６ｍｍ以上）に位置してなる広い上下距離となっている。
よって、弾性構造体上側凸部１０と弾性構造体胴部８の１．７２５ｍｍ部位（０．６ｍｍ以上）が、ピン挟持硬質体６の無い弾性構造体２のみの上側軟らかめ構造部位となっている。それより下側はピン挟持硬質体６を有する下側硬め構造部位となっている。
よって、親指と人差さ指で弾性構造体上側凸部１０と弾性構造体胴部８を摘みその摘み力を強めると、上側軟らかめ構造部位は潰れ変形する。その変形および指のハの字摘み形態によって、弾性構造体上側凸部１０には押し上げ作用が働き、下側硬め構造部位には押し下げ作用が働く。そして、上側軟らかめ構造部位を形成している弾性構造体胴部８（以下「軟らか構造形成胴部位」という。）は指による押し潰し作用と前記押し上げ作用と前記押し下げ作用によって、上下方向に伸びる伸び形態（以下「胴部伸び形態」ともいう。）となる。また、弾性構造体上側凸部１０の下部も上方に押し反り上がった反り逃げ形態となり、指の弾性構造体胴部８への入りと潰しを行い易くする。
【００５４】
この胴部伸び形態は、ピン挟持硬質体６が位置している下側硬め構造部位は下方へ押し逃がす形態であるので、摘んだ指の摘み力がピン挟持体に直接的には作用することが無いないし小さい摘まみ力非作用形態となる。
よって、親指と人差し指で弾性構造体を摘んでその摘み力を強めてピンから抜き操作を行う際に、ピン挟持硬質体６のピン挟持力を直接的には強めることのないピアス用キャッチを実現している。
また、胴部伸び形態および弾性構造体上側凸部の反り逃げ形態によって指の摘み感が、確りとした安定感、安心感のあるもの、フィット感のある摘み持ちやすさの良いピアス用キャッチを実現している。
【００５５】
（２）摘み指の摘み部位は下方に広がるハの字摘み形態である
それに加えて、前記（１）の構造から（参考として図５参照）、弾性構造体２を親指と人差し指（中指の場合もあり）とで強めに摘んだ形態である摘み力強め形態（指横腹部位摘み形態（図５の（ｂ）図参照）を含む。）は、上側軟らかめ構造部位が潰れ下側硬め構造部位が潰れない状態であるので、摘み指は下方に向かって広がったハの字摘み形態となる。
【００５６】
前記ハの字摘み形態は、上方に行くほど指間距離が狭くなる形態である。それは、上方に行くほど摘み力が強くなる摘み形態である。
よって、ハの字摘み形態で摘み力を増すと、弾性構造体２の部位で強く抑える部位は、上側軟らかめ構造部位の弾性構造体上側凸部１０と弾性構造体胴部８である。上側軟らかめ構造部位は、強く摘むと弾性構造体２の上方が潰れ反り伸び状態となりかつ胴部伸び状態となる上側潰れ伸び状態となる。この上側潰れ伸び状態は、摘み力を上方に逃がす摘み力上方逃がし状態である。このハの字摘み形態による摘み力上方逃がし状態によっても、弾性構造体下側凸部９が真横からは強く摘まれない状態となる。
【００５７】
前記（１）、（２）によって、第１の挟持部と第２の挟持部の挟持力が増強される横方向から、弾性構造体を指で摘んでその摘み力を強くしても、第１の挟持部と第２の挟持部が内側に寄ることが少なく、またはほとんど無い。
よって、摘み抜き操作時にピン挟持箇所の挟持力が著しく強くなることがなく、弾性構造体上側凸部１０が指に食い込み掛かっていることもあって、どの方向から摘んでもピアスピンから容易に抜くことができるピアス用キャッチを実現している。
【００５８】
ピン挟持硬質体６の最上部位置と弾性構造体胴部８の最上部位置の距離は、０．６ｍｍ以上がよい、好ましくは０．９ｍｍ以上がよい、より好ましくは、１．３ｍｍ以上がよい、さらに好ましくは１．５ｍｍ以上がよい。
【００５９】
弾性構造体上側凸部１０の下部角である角カットの無い鈍角部位または鋭角部位が指への食い込み掛かりを強くするので、弾性構造体上側凸部１０の滑り難さを実現し、その反り逃げ形態もより大きくなる。
よって、摘み力の低減化、フィット感と摘み持ちやすさの向上を実現する。
上記鈍角ないし鋭角とは、半径０．３ｍｍ以内の湾曲角ないし直線カット３ｍｍ以内のカット角である。
【００６０】
弾性構造体下側凸部９の機能について述べる。
（１）弾性構造体下側凸部９で指先が外側に逃がされ、該弾性構造体下側凸部９の側部を強く摘むことが回避されるので、ピン挟持硬質体６への影響が弱められる。
また、弾性構造体下側凸部９に当たっている指先の押力によって該弾性構造体下側凸部９が下方に押し下げられ、横押しの作用を下方に逃がすので、ピン挟持硬質体６への影響が弱められる。
弾性構造体下側凸部９の肉厚によって指摘み力が弱められ、ピン挟持硬質体６への影響が弱められる。
（２）弾性構造体下側凸部９にピン挟持硬質体６の半分以上が位置した形態であるので、ピン挟持硬質体６に付勢力を与える弾性体構造部位の側部厚みを弾性構造体下側凸部によって十分に確保することができる。
これによって、弾性体構造体胴部８の胴太さの一部ないし全部を、細い形態（くびれを含む）とすることを可能としている。例えばピン挟持硬質体６の横幅よりも細い胴部とすることも可能とする。
細い胴部とすることによって、弾性体構造体胴部８をより伸びやすい形態にできる。
【００６１】
「ピン挿入孔４」は止り孔形態でもよい。
「弾性構造体下側凸部９に内設された、または弾性構造体下側凸部９から弾性構造体胴部８にまたがる形態で内設された、・・・ピン挟持硬質体６」には、全部位を埋設した全部位埋設形態（全部部位内設形態）とするのもよいし、一部を弾性構造体胴部８の底部から露出した一部露出形態（一部部位内設形態）とするなどの形態などがある。
【００６２】
指あたり部位１１位置が、ピン挟持硬質体６と略同じかそれより上方に位置するようにするのもよい。
また、弾性構造体下側凸部９の上部縁角に上方に突出する小凸部を設け、指当たりをより感じやすいものとするのもよい。
【００６３】
上部縁角１６は指あたり部位が広くなるよう、かつ、角を感じ易くなるようより鈍角とするのがよい。
弾性構造体を指で軽く摘んだ指横腹部位摘み形態で、該指の指腹で該指あたり部位の当たりを確かに感じ取ることができる指あたり部位の形態は多様な形態がある。
例えば、弾性構造体胴部より０．７ｍｍ以上横に突出している形態、図１０に示すような指先が感じる凸凹や突起を設けた形態、弾性構造体下側凸部の上部縁に行くほど高くなるテーパー形態としたもの、弾性構造体胴部の太さと弾性構造体下側凸部の突出形態の関係、弾性構造体胴部の１．３ｍｍ以上の上下距離などが例示できる。
【００６４】
本実施例１では、弾性構造体２は透明なシリコンゴム製部材からなっている。
弾性構造体２に内設されたピン挟持硬質体６はゴールド、ホワイトゴールドまたはピンクゴールドなどの光沢性の金製部材からなっている。よって、ピン挟持硬質体６は透明な弾性構造体２によって、外からその色彩や形状が見える。
上部部位２１は緩やかな凸湾曲である凸レンズとして機能して、中のピン挟持硬質体６を大きく見せる。
ピン挟持硬質体６の露出している底部面には１４Ｋなどの刻印が施され、該露出形態によってルーペで即確実に確認できる。
ピアス用キャッチ１は、金型６０内にピン挟持硬質体６がセットされた状態で、加熱熔融したシリコンゴムが金型内に圧縮送り込まれ充填されて形成される。（図６参照）
非透明の弾性構造体も本発明の技術的範疇に含まれるものである。
【００６５】
ピン挟持硬質体は、ゴールドなどの貴金属に限定されず、チタン、ステンレス、メッキした鋼材、硬質性合成樹脂製部材など多種、多様な形態がある。
また、その形態も挟持部が外側から内側に向かう湾曲形態に限られず、例えば図７に示すような内側から外側に向かう形態など多様な形態がある。
【００６６】
下部連絡部１４、弾性構造体下側凸部９の上部角および下部角は、５ｍｍという小ささから視覚的には湾曲角とは見えない、鈍角に見える。すなわち、意匠的、実質的には下部連絡部１４、弾性構造体下側凸部９の上部角線および下部線は一本の直線として見える。
【００６７】
摘み易さを優先させた場合、弾性構造体２の上下幅および横幅を０．５ｍｍ程度大きくした、上下幅５．５ｍｍ、横幅６．０ｍｍの大きめの弾性構造体とするのがよい。
この場合、弾性構造体上側凸部１０、弾性構造体下側凸部９の上下幅、弾性構造体胴部８の胴太さは変えない。よって、弾性構造体胴部８の上下幅が２．４７５ｍｍとなる。
一見しただけで、弾性構造体２のものより大きめの弾性構造体が一回り大きく見える。
全体が一回り大きくなりかつ弾性構造体胴部８の上下幅が２．４７５ｍｍと長くなっていることから、掴み易さとフィット感がよりよいものとなる。
横幅を変えない上下幅のみを大きくした形態もよい。
【００６８】
図６はピアス用キャッチ１の成型金型例を示している。
金型６０は弾性構造体２の最上部である上部部位２１を形成する上型６１と、弾性構造体上側凸部１０の全部、弾性構造体胴部８の全部および弾性構造体下側凸部９の下部湾曲縁部位を除く大部分を形成する中型６２と、弾性構造体下側凸部９の下部湾曲縁部位を形成する下型６３とからなっている。
中型６２は非分割型であり、単に形成孔が設けられた形態である。
また、中型６２の弾性構造体下側凸部９および弾性構造体胴部８の上部箇所には、ＳＧ＃１１６のホーニングによって梨地部位６５が形成されている。
この梨地部位６５によって、弾性構造体下側凸部９および弾性構造体胴部８の上部箇所の表面には、図においてはハッチングで表現した微細な凸凹部位である滑り止め部位２１が形成されている。
【００６９】
梨地部位６５に磨き処理（鏡面処理）を行わなければ、滑り止め部位２１は、透明部材である弾性構造体２にあっては、薄っすらとした曇り状態に見える。それは弾性構造体２内のピン挿入孔４や挿入されたピン３は明確に見える臼曇り形態である。
滑り止め部位２１は摘んだ指が滑り難く滑り止めとして機能し、弾性構造体２の摘み易さの安定性、弱い摘み力でのピンからの抜き取りやすさなど、ピン抜き操作性を大きく向上させる。
【００７０】
本実施例１においては、ホーニングによって梨地部位６５を形成した後で、梨地部位６５を凸凹が無くならない程度で鏡面磨き処理を行っている。
こうすることで、滑り止め部位２１の薄曇り状態が解消され、表面は光沢があって内部の透過が良好となり、肉眼では臼曇り状態が明確には認視できない程度となる。
滑り止め部位２１は光沢の凸凹部位となっているが、滑り止めとして機能する。中型６２からの抜けやすさも機能する。
【００７１】
中型６２内にあるピアス用キャッチ１の取り出しは、上型６１および下型６３が固定されているプレス機から中型６２を取り外し、取り出し用の治具にセットし、ピアス用キャッチ１の上部を１．２ｍｍの押し出しピンによって押し、押し出すことで行う。
押し出しピンが１．２ｍｍ以上の太さだと、弾性構造体２の外側への押し量が大きく、抵抗も増大し、抜いた後の弾性構造体２の変形が戻らない、当初の意匠形態が損なわれる。
押し出しピンが１．２ｍｍ以下の太さだと、押し出しピンがピン挿入孔４に潜り込み押し出し抜きができない。
これは、中型６２の突出部位６５である弾性構造体上側凸部１０が掛かる部位が鏡面仕上げであるため、両者の密着が極めて高く摩擦ないし吸盤的作用が著しく大きいためと考えられる。
梨地部位６５を設けることで、中型６２内にあるピアス用キャッチ１は、１．２ｍｍの押し出しピンの押し出し操作で、変形も少なく、ピン挿入孔４へ押し出しピンの潜り込みも生じない、良好な押し出しが実現される。
【００７２】
しかるに、１０×１０＝１００の１００個取りの金型とした場合、梨地部位６５が無い金型では、１００本の押し出しピンによる一斉の押し出しは、人が全体重をかけたとしても容易には抜けない。例えば身近にあった５０ｔ級のプレスの使用によって可能であった。
これに対して、梨地部位６５を設けた金型では、人が軽く体重をかけただけで、１００個一斉に容易に抜き出すことができる。よて、高い生産性を実現する。
【実施例２】
【００７３】
図７に示す本発明の実施例２において、前記実施例１と主に異なる点は、ピン挟持硬質体をピン挟持硬質体１９としたピアス用キャッチ１７を形成した点にある。
ピン挟持硬質体１９は、ピン通し孔１３を有するベース部１８と、前記ベース部１８の左側が内側上に曲がり上り傾斜直線形態で先端が外側に曲がってなる第１の挟持部１９ａと、ベース部１８の右側が内側上に曲がり上り傾斜直線形態で先端が外側に曲がってなる第２の挟持部１９ｂと、第１の挟持部１９ａと第２の挟持部１９ｂのピン３を挟持する箇所であるピン挟持箇所１９ｃとからなっている。
【００７４】
下部連絡部を直角形態の隅角である下部連絡部２０としている。
この結果、弾性構造体胴部８の上下距離は２．２２５ｍｍとなっている。
【００７５】
ピン挟持硬質体１９の最上部位置が弾性構造体胴部８の胴部中心位置Ｃより下方に位置している。
指あたり部位１１がピン挟持箇所１９ｃより上方に位置している。
ピン挟持硬質体１９の最上部位置が弾性構造体胴部８の胴部中心位置Ｃより下方に位置する範囲で、ピン挟持箇所１９ｃが指あたり部位１１より上方に位置する形態でもよい。
【実施例３】
【００７６】
図８に示す本発明の実施例３において、前記実施例１と主に異なる点は弾性構造体を弾性構造体２９とし、ピン挟持硬質体６の全部を弾性構造体２９内に埋設してなる形態のピアス用キャッチ３０を形成した点にある。
弾性構造体２９は、弾性構造体胴部３１と、弾性構造体胴部３１の上部に形成した該弾性構造体胴部３１よりも幅広の弾性構造体上側凸部３２と、弾性構造体胴部３１の下部に形成した該弾性構造体胴部３１よりも幅広で弾性構造体上側凸部３２よりも幅狭の弾性構造体下側凸部３３とからなっている。
弾性構造体２９の下部にはピン通し孔１３に連絡するピン３を該ピン通し孔１３に誘導する誘い込み部３４が形成されている。
形成する金型の中型は割り型である。
【００７７】
弾性構造体下側凸部３３の上部の指あたり部位３５は、その縁角を略直角である鈍角としかつピン挟持箇所６ｃの上方に位置し、ピン挟持硬質体６の全部は弾性構造体２９内とされている。
また、弾性構造体上側凸部３２の下部縁角２７および上部縁角２８は鈍角という、２か所の鈍角を有した形態となっている。
また、弾性構造体上側凸部３２の上下幅（肉厚）は０．８ｍｍ（０．６ｍｍ〜２．０ｍｍの範囲内）としている。
【実施例４】
【００７８】
図９に示す本発明の実施例４において、前記実施例１と主に異なる点は弾性構造体を弾性構造体３８としてなるピアス用キャッチ３７を形成した点にある。
シリコンゴム製部材、天然ゴム製部材、合成ゴム製部材、弾性合成樹脂製部材などの弾性材料からなる弾性構造体３８と、
弾性構造体３８に内設された、ピン挿入孔４に挿入状態にあるピン３を対抗挟持形態で挟持する第１の挟持部６ａと第２の挟持部６ｂを有してなる硬質製部材からなるピン挟持硬質体６と、
弾性構造体３８の弾性構造体胴部４１と、
弾性構造体胴部４１の上部側の側部に形成された、弾性構造体３８を摘んだ指がかかる弾性構造体上側凸部１０と、
弾性構造体胴部４１の下部側に形成された、該弾性構造体胴部４１よりも小径の弾性構造体下側小径部４０と、
弾性構造体胴部４１の下縁角からなる下指掛かり部４２と、を備えてなるとともに、
第１の挟持部６ａと第２の挟持部６ｂが弾性構造体下側小径部４０内に位置し、
ピン挟持箇所６ｃの位置が、弾性構造体下側小径部４０と弾性構造体胴部４１の境より下方に位置し、
弾性構造体胴部４１の上下幅を１．５ｍｍとしていが、１．４ｍｍ以上がよい、好ましくは１．７ｍｍ〜以上がよい、より好ましくは１．９ｍｍ以上がよい。
【００７９】
弾性構造体３８を摘んだ指は最下部の内側に凹位置している弾性構造体下側小径部４０には届かない、または届いても摘み力が強く作用することが無い。
そして、指横腹部位摘み形態を含め摘んだ指は弾性構造体上側凸部１０と下指掛かり部４２の二箇所が食い込み掛かる二箇所摘み掛かり形態となるので、強く摘まなくても掛かり摩擦が大きく容易に抜き操作が行える。
また、強く摘まなくてよい形態によって、第１の挟持部６ａと第２の挟持部６ｂへの摘み力の影響を小さいものとしている。
そして、ピン挟持箇所６ｃが摘み作用の及ばないないし小さい弾性構造体下側小径部４０内に位置しているので、ピン挟持箇所６ｃの真横からの抑え込み作用は無い、ないし極めて小さいものとなる。よって、摘み抜き操作時にピン挟持箇所の挟持力が著しく強くなることが生じない。
【実施例５】
【００８０】
図１０に示す本発明の実施例５において、前記実施例１と主に異なる点は弾性構造体を弾性構造体４４とし、ピン挟持硬質体６の全部を弾性構造体４４内に埋設形態としてなるピアス用キャッチ４５を形成した点にある。
弾性構造体４４は、弾性構造体上側凸部を、側部を一つの尖がり形態とした弾性構造体上側凸部４６とし、弾性構造体胴部をくびれ形態の弾性構造体胴部４７としている。
摘み動作によって最も伸びるのは弾性構造体胴部４７のくびれ部４７ａとなる。
弾性構造体胴部４７のくびれ部４７ａの下部傾斜面が指あたり部位４８となる。
弾性構造体下側凸部９の縁角は小さく上方に突出した指当たり突起４９が形成されていて、指が当たったことを該指が確かに感じるようにしている。
くびれ部４７ａの胴径は３．０ｍｍとしているが、２．０ｍｍ〜３．５ｍｍであればよい。
【００８１】
弾性構造体４４の上部には上部凹部４３が設けられている。摘み力を強くした際に弾性構造体上側凸部４６の上部側が潰れ変形しやすくしている。
また、弾性構造体上側凸部４６の側部突起部位である鋭角部位は、半径０．３ｍｍ（半径０．５ｍｍ以下）の湾曲角形態となっている。
型は上型と下型のみでよい。
【実施例６】
【００８２】
図１１に示す本発明の実施例６において、前記実施例１と主に異なる点は、弾性構造体を弾性構造体下側凸部の無い弾性構造体５０とし、弾性構造体胴部を弾性構造体胴部５２としてなるピアス用キャッチ５１を形成した点にある。
【００８３】
弾性構造体５０は上下距離が３．５ｍｍ〜８．５ｍｍである。好ましくは４．０ｍｍ〜７．５ｍｍ、さらに好ましくは４．５ｍｍ〜６がよい。
【００８４】
下方に行くにしたがって広がり形態の弾性構造体胴部５２は、上下距離が４．０ｍｍである。弾性構造体胴部５２の上下距離は３．０ｍｍ〜６ｍｍがよい。
弾性構造体胴部５２の下方への広がりは、図よりも広くするのもよい。例えば、５．０ｍｍ〜６．０ｍｍ。
【００８５】
ピン挟持箇所６ｃの位置が、弾性構造体胴部５２の底部面から３．０ｍｍ以内に位置している。好ましくは２．５ｍｍ以内、より好ましくは２．０ｍｍ以内がよい。
【００８６】
（１）弾性構造体胴部５２の上下距離を４ｍｍとし、ピン挟持箇所６ｃの位置が前記弾性構造体胴部５２の底部面から２ｍｍに位置させている。
ピン挟持硬質体６を内設している弾性構造体５０の下部側は、該ピン挟持硬質体６によって変形がし難い硬めの構造である下側硬め構造部位となっており、それより上部側である弾性構造体胴部５２および弾性構造体上側凸部１０は伸縮性の弾性材料のみの上側軟らかめ構造部位となっている。
【００８７】
ピン挟持硬質体６を内設している弾性構造体５０の下部側は、該ピン挟持硬質体６によってその上部側よりは変形し難い硬めの構造である下側硬め構造部位となっている。
弾性構造体５０を親指と他の指とでの強め摘み形態は、下方に向かって広がり湾曲形態の両指がハの字形態で弾性構造体を摘んだハの字摘み形態となる。前記ハの字摘み形態は、上方に行くほど指間距離が狭くなる形態である。それは、上方に行くほど摘み力が強くなる摘み形態である。
よって、ハの字摘み形態で摘み力を増すと、弾性構造体５０の部位で強く抑える部位は最も上方にある弾性構造体上側凸部１０である。
【００８８】
よって、弾性構造体上側凸部１０が最も強く摘み抑えられ、該弾性構造体上側凸部１０が指に掛かった状態で、指の方は弾性構造体胴部５２をそれほど強く摘むことなく、ピンからの抜き操作を行うことになる。
よって、ピン挟持箇所６ｃの位置が、弾性構造体胴部５２の中央部位より下方に位置させているピン挟持硬質体６への、ピン挟持箇所６ｃの真横からの抑え込み作用は生じ難いので、第１の挟持部６ａと第２の挟持部６ｂを内側に強く押す作用は生じない、ないし生じたとしても微圧である。
よって、どの方向から摘んでもピアスピンから容易に抜くことができるピアス用キャッチを実現している。
【実施例７】
【００８９】
図１２は本発明の実施例７であって、前記実施例１と主に異なる点は、弾性構造体を弾性構造体５５としてなるピアス用キャッチ５６を形成した点にある。
弾性構造体５５は、弾性構造体胴部８にくびれ部５７を形成している。
くびれ部５７は、高さ１．２５ｍｍ、胴幅２．４０ｍｍとしている。
弾性材料の少ない細いくびれ部５７により、弾性構造体５５を強く摘んだとき、くびれ部５７が容易に伸長するので、指あたり部位１１への指の押当たりを弱くできる。
特に弾性構造体を硬めの材質にして、細いくびれ部５７を上下距離１．０ｍｍ〜２．５ｍｍで胴太さが１．７〜３ｍｍとすることにより、可視的にみても明らかに伸びる形態を実現する。
【００９０】
また、くびれ部５７が細いことから指あたり部位１１への指の当たり部位が第１の挟持部６ａと第２の挟持部６ｂの真上に近い部位になる。
よって、摘みの際の指による第１の挟持部６ａと第２の挟持部６ｂの押し抑え方向は、真上に近い上方からの作用ということになる。
よって、第１の挟持部６ａと第２の挟持部６ｂのピン挟持力を強める横からの押し抑え作用は生じないなし生じても弱いものとなる。
【００９１】
第１の挟持部と第２の挟持部の頂上部を外側に位置させる、くびれ部をより胴細形態とすれば、摘み動作によって第１の挟持部と第２の挟持部を開き動作させて、または、第１の挟持部と第２の挟持部に開き作用を与えて、ピン挟持力を弱めてピンからの抜き取りを容易に行える形態も可能である。
【産業上の利用可能性】
【００９２】
本発明は、装身具を製造、使用する産業で利用される。
【符号の説明】
【００９３】
Ｃ：胴部中心位置、
１：ピアス用キャッチ、
２：弾性構造体、
３：ピン、
３ａ：ピン溝、
４：ピン挿入孔、
５：ベース部、
６：ピン挟持硬質体、
６ａ：第１の挟持部、
６ｂ：第２の挟持部、
６ｃ：ピン挟持箇所、
７：上部連絡部、
８：弾性構造体胴部、
９：弾性構造体下側凸部、
１０：弾性構造体上側凸部、
１１：指あたり部位、
１２：誘い込み部、
１３：ピン通し孔、
１４：下部連絡部、
１５：ビード、
１６：上部縁角、
１７：ピアス用キャッチ、
１８：ベース部、
１９：ピン挟持硬質体、
１９ａ：第１の挟持部、
１９ｂ：第２の挟持部、
１９ｃ：ピン挟持箇所、
２０：下部連絡部、
２１：上部部位、
２７：下部縁角、
２８：上部縁角、
２９：弾性構造体、
３０：ピアス用キャッチ、
３１：弾性構造体胴部、
３２：弾性構造体上側凸部、
３３：弾性構造体下側凸部、
３４：誘い込み部、
３５：指あたり部位、
３７：ピアス用キャッチ、
３８：弾性構造体、
４０：弾性構造体下側小径部、
４１：弾性構造体胴部、
４３：上部凹部、
４２：下指掛かり部、
４４：弾性構造体、
４５：ピアス用キャッチ、
４６：弾性構造体上側凸部、
４７：弾性構造体胴部、
４７ａ：くびれ部、
４８：指あたり部位、
４９：指当たり突起、
５０：弾性構造体、
５１：ピアス用キャッチ、
５２：弾性構造体胴部、
５５：弾性構造体、
５６：ピアス用キャッチ、
５７：くびれ部、
６０：金型、
６１：上型、
６２：中型、
６３：下型、
６５：梨地部位。
【図１】
2017086805.tif 000003
【図２】
2017086805.tif 000004
【図３】
2017086805.tif 000005
【図４】
2017086805.tif 000006
【図５】
2017086805.tif 000007
【図６】
2017086805.tif 000008
【図７】
2017086805.tif 000009
【図８】
2017086805.tif 000010
【図９】
2017086805.tif 000011
【図１０】
2017086805.tif 000012
【図１１】
2017086805.tif 000013
【図１２】
2017086805.tif 000014
【図１３】
2017086805.tif 000015
【手続補正書】
【提出日】平成28年5月2日(2016.5.2)
【手続補正１】
【補正対象書類名】特許請求の範囲
【補正対象項目名】全文
【補正方法】変更
【補正の内容】
【特許請求の範囲】
【請求項１】
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部の横幅より横幅が小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記ピン挟持硬質体の最上部位置が、前記弾性構造体胴部の最上部位置より０．６ｍｍ以上下方に位置していて、
前記ピン挟持硬質体の無い前記弾性構造体のみの部位が上側軟らかめ構造部位を形成していて、
前記上側軟らかめ構造部位より下側は前記ピン挟持硬質体を有する下側硬め構造部位を形成していて、
親指と人差さ指で前記弾性構造体上側凸部と前記弾性構造体胴部を摘み、その摘み力を強めると、前記上側軟らかめ構造部位は上下方向に伸びる胴部伸び形態となる形態であることを特徴とするピアス用キャッチ。
【請求項２】
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部の横幅より横幅が小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記弾性構造体上側凸部の上下幅が０．６ｍｍ〜２．０ｍｍであり、かつ、該弾性構造体上側凸部が指に掛かる鈍角部位又は鋭角部位を有する形態であり、前記鈍角部位および前記鋭角部位が湾曲角形態では半径０．５ｍｍ以下の湾曲角であり、
前記ピン挟持硬質体の無い前記弾性構造体のみの部位が上側軟らかめ構造部位を形成していて、
前記上側軟らかめ構造部位より下側は前記ピン挟持硬質体を有する下側硬め構造部位を形成していて、
親指と人差さ指で前記弾性構造体上側凸部と前記弾性構造体胴部を摘み、その摘み力を強めると、前記上側軟らかめ構造部位は上下方向に伸びる胴部伸び形態となる形態であることを特徴とするピアス用キャッチ。
【請求項３】
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部の横幅より横幅が小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記弾性構造体胴部の上下幅が１．３ｍｍ以上であり、かつ、前記ピン挟持硬質体の最上部位置が該弾性構造体胴部の中心位置より下方に位置していて、
前記ピン挟持硬質体の無い前記弾性構造体のみの部位が上側軟らかめ構造部位を形成していて、
前記上側軟らかめ構造部位より下側は前記ピン挟持硬質体を有する下側硬め構造部位を形成していて、
親指と人差さ指で前記弾性構造体上側凸部と前記弾性構造体胴部を摘み、その摘み力を強めると、前記上側軟らかめ構造部位は上下方向に伸びる胴部伸び形態となる形態であることを特徴とするピアス用キャッチ。
【請求項４】
前記弾性構造体上側凸部が全周に渡り設けられてなることを特徴とする請求項１又は３記載のピアス用キャッチ。
【請求項５】
前記弾性構造体胴部の下部側に該弾性構造体胴部より側部側に出っ張った形態の弾性構造体下側凸部を設け、前記弾性構造体下側凸部に前記ピン挟持硬質体の半分以上が位置してなることを特徴とする請求項１〜３又は４記載のピアス用キャッチ。
【請求項６】
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、
前記弾性構造体の弾性構造体胴部と、
前記弾性構造体の上部側を形成している側部に出っ張った形態の、前記弾性構造体を摘んだ指に掛かる部位である、前記弾性構造体胴部の横幅より横幅が大幅形態の弾性構造体上側凸部と、
前記弾性構造体胴部の下部側に形成された、該弾性構造体胴部の横幅よりも横幅が小径の弾性構造体下側小径部と、
前記弾性構造体胴部の下部縁からなる、前記弾性構造体を摘んだ指が掛かる下指掛かり部と、を備えてなるとともに、
前記第１の挟持部と前記第２の挟持部の全部または一部が前記弾性構造体下側小径部内に位置し、
前記第１の挟持部と前記第２の挟持部のピンを挟持する箇所であるピン挟持箇所の位置が、前記弾性構造体下側小径部と前記弾性構造体胴部の境より下方に位置し、
前記弾性構造体胴部の上下幅が１．５ｍｍ以上であることを特徴とするピアス用キャッチ。
【請求項７】
弾性構造体上側凸部の表面に微細な凸凹からなる梨地部位が形成され、かつ、前記凸凹は鏡面凸凹であり、前記梨地部位により前記弾性構造体の金型からの抜き出しを容易にしたことを特徴とする請求項１〜５又は６記載のピアス用キャッチ。
【手続補正２】
【補正対象書類名】明細書
【補正対象項目名】００２５
【補正方法】変更
【補正の内容】
【００２５】
上記目的を達成するために、本発明は次に述べるような構成となっている。
＜請求項１記載の発明＞
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部の横幅より横幅が小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記ピン挟持硬質体の最上部位置が、前記弾性構造体胴部の最上部位置より０．６ｍｍ以上下方に位置していて、
前記ピン挟持硬質体の無い前記弾性構造体のみの部位が上側軟らかめ構造部位を形成していて、
前記上側軟らかめ構造部位より下側は前記ピン挟持硬質体を有する下側硬め構造部位を形成していて、
親指と人差さ指で前記弾性構造体上側凸部と前記弾性構造体胴部を摘み、その摘み力を強めると、前記上側軟らかめ構造部位は上下方向に伸びる胴部伸び形態となる形態であることを特徴とするピアス用キャッチである。
【手続補正３】
【補正対象書類名】明細書
【補正対象項目名】００２７
【補正方法】変更
【補正の内容】
【００２７】
＜請求項２記載の発明＞
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部の横幅より横幅が小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記弾性構造体上側凸部の上下幅が０．６ｍｍ〜２．０ｍｍであり、かつ、該弾性構造体上側凸部が指に掛かる鈍角部位又は鋭角部位を有する形態であり、前記鈍角部位および前記鋭角部位が湾曲角形態では半径０．５ｍｍ以下の湾曲角であり、
前記ピン挟持硬質体の無い前記弾性構造体のみの部位が上側軟らかめ構造部位を形成していて、
前記上側軟らかめ構造部位より下側は前記ピン挟持硬質体を有する下側硬め構造部位を形成していて、
親指と人差さ指で前記弾性構造体上側凸部と前記弾性構造体胴部を摘み、その摘み力を強めると、前記上側軟らかめ構造部位は上下方向に伸びる胴部伸び形態となる形態であることを特徴とするピアス用キャッチである。
【手続補正４】
【補正対象書類名】明細書
【補正対象項目名】００２８
【補正方法】変更
【補正の内容】
【００２８】
＜請求項３記載の発明＞
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部の横幅より横幅が小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記弾性構造体胴部の上下幅が１．３ｍｍ以上であり、かつ、前記ピン挟持硬質体の最上部位置が該弾性構造体胴部の中心位置より下方に位置していて、
前記ピン挟持硬質体の無い前記弾性構造体のみの部位が上側軟らかめ構造部位を形成していて、
前記上側軟らかめ構造部位より下側は前記ピン挟持硬質体を有する下側硬め構造部位を形成していて、
親指と人差さ指で前記弾性構造体上側凸部と前記弾性構造体胴部を摘み、その摘み力を強めると、前記上側軟らかめ構造部位は上下方向に伸びる胴部伸び形態となる形態であることを特徴とするピアス用キャッチである。
【手続補正５】
【補正対象書類名】明細書
【補正対象項目名】００２９
【補正方法】変更
【補正の内容】
【００２９】
＜請求項４記載の発明＞
前記弾性構造体上側凸部が全周に渡り設けられてなることを特徴とする請求項１又は３記載のピアス用キャッチである。
【手続補正６】
【補正対象書類名】明細書
【補正対象項目名】００３１
【補正方法】変更
【補正の内容】
【００３１】
＜請求項６記載の発明＞
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、
前記弾性構造体の弾性構造体胴部と、
前記弾性構造体の上部側を形成している側部に出っ張った形態の、前記弾性構造体を摘んだ指に掛かる部位である、前記弾性構造体胴部の横幅より横幅が大幅形態の弾性構造体上側凸部と、
前記弾性構造体胴部の下部側に形成された、該弾性構造体胴部の横幅よりも横幅が小径の弾性構造体下側小径部と、
前記弾性構造体胴部の下部縁からなる、前記弾性構造体を摘んだ指が掛かる下指掛かり部と、を備えてなるとともに、
前記第１の挟持部と前記第２の挟持部の全部または一部が前記弾性構造体下側小径部内に位置し、
前記第１の挟持部と前記第２の挟持部のピンを挟持する箇所であるピン挟持箇所の位置が、前記弾性構造体下側小径部と前記弾性構造体胴部の境より下方に位置し、
前記弾性構造体胴部の上下幅が１．５ｍｍ以上であることを特徴とするピアス用キャッチである。 
【手続補正７】
【補正対象書類名】明細書
【補正対象項目名】００３２
【補正方法】変更
【補正の内容】
【００３２】
＜請求項７記載の発明＞
弾性構造体上側凸部の表面に微細な凸凹からなる梨地部位が形成され、かつ、前記凸凹は鏡面凸凹であり、前記梨地部位により前記弾性構造体の金型からの抜き出しを容易にしたことを特徴とする請求項１〜５又は６記載のピアス用キャッチである。
【手続補正８】
【補正対象書類名】明細書
【補正対象項目名】００３８
【補正方法】変更
【補正の内容】
【００３８】
＜請求項４載の発明の効果＞
請求項１又は３記載の発明と同様な効果を奏する。
【手続補正書】
【提出日】平成28年8月17日(2016.8.17)
【手続補正１】
【補正対象書類名】特許請求の範囲
【補正対象項目名】全文
【補正方法】変更
【補正の内容】
【特許請求の範囲】
【請求項１】
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部の横幅より横幅が小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記ピン挟持硬質体の最上部位置が、前記弾性構造体胴部の最上部位置より０．６ｍｍ以上下方に位置していて、
前記ピン挟持硬質体の無い前記弾性構造体のみの部位が上側軟らかめ構造部位を形成していて、
前記上側軟らかめ構造部位より下側は前記ピン挟持硬質体を有する下側硬め構造部位を形成していて、
親指と人差さ指で前記弾性構造体上側凸部と前記弾性構造体胴部を摘み、その摘み力を強めると、前記上側軟らかめ構造部位は上下方向に伸びる胴部伸び形態となる形態であることを特徴とするピアス用キャッチ。
【請求項２】
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部の横幅より横幅が小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記弾性構造体上側凸部の上下幅が０．６ｍｍ〜２．０ｍｍであり、かつ、該弾性構造体上側凸部が指に掛かる鈍角部位又は鋭角部位を有する形態であり、前記鈍角部位および前記鋭角部位が湾曲角形態では半径０．５ｍｍ以下の湾曲角であり、
前記ピン挟持硬質体の無い前記弾性構造体のみの部位が上側軟らかめ構造部位を形成していて、
前記上側軟らかめ構造部位より下側は前記ピン挟持硬質体を有する下側硬め構造部位を形成していて、
親指と人差さ指で前記弾性構造体上側凸部と前記弾性構造体胴部を摘み、その摘み力を強めると、前記上側軟らかめ構造部位は上下方向に伸びる胴部伸び形態となる形態であることを特徴とするピアス用キャッチ。
【請求項３】
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部の横幅より横幅が小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記弾性構造体胴部の上下幅が１．３ｍｍ以上であり、かつ、前記ピン挟持硬質体の最上部位置が該弾性構造体胴部の中心位置より下方に位置していて、
前記ピン挟持硬質体の無い前記弾性構造体のみの部位が上側軟らかめ構造部位を形成していて、
前記上側軟らかめ構造部位より下側は前記ピン挟持硬質体を有する下側硬め構造部位を形成していて、
親指と人差さ指で前記弾性構造体上側凸部と前記弾性構造体胴部を摘み、その摘み力を強めると、前記上側軟らかめ構造部位は上下方向に伸びる胴部伸び形態となる形態であることを特徴とするピアス用キャッチ。
【請求項４】
前記弾性構造体上側凸部が全周に渡り設けられてなることを特徴とする請求項１又は３記載のピアス用キャッチ。
【請求項５】
前記弾性構造体胴部の下部側に該弾性構造体胴部より側部側に出っ張った形態の弾性構造体下側凸部を設け、前記弾性構造体下側凸部に前記ピン挟持硬質体の半分以上が位置してなることを特徴とする請求項１〜３又は４記載のピアス用キャッチ。
【請求項６】
弾性構造体上側凸部の表面に微細な凸凹からなる梨地部位が形成され、かつ、前記凸凹は鏡面凸凹であり、前記梨地部位により前記弾性構造体の金型からの抜き出しを容易にしたことを特徴とする請求項１〜４又は５記載のピアス用キャッチ。
【手続補正２】
【補正対象書類名】明細書
【補正対象項目名】全文
【補正方法】変更
【補正の内容】
【発明の詳細な説明】
【技術分野】
【０００１】
本発明は、ピアスのピアスピンが挿入されているピアス用キャッチを、親指と人差し指、で摘み該ピアスピンから抜く操作において、摘んでいる指の摘み力を強めても、ピン挟持箇所のピン挟持力が著しく強まって抜き難くなることが生じないピアス用キャッチに関する。
【背景技術】
【０００２】
図１３は、従来技術にかかるピアスイヤリング用キャッチ＜Ａ＞（以下「キャッチ＜Ａ＞」という。）を示している。
従来技術である特許文献１で開示されているピアスイヤリング用キャッチ（以下「キャッチ＜Ｂ＞」という。）の、図１３に記載のキャッチ＜Ａ＞と異なる点は、バネ部材＜１＞のピン挟持箇所＜４ｃ＞が環状凹部＜１１＞の中心位置（樹脂製弾性体＜９＞の中心位置でもある。）と同位置に位置しているものである。
キャッチ＜Ａ＞とキャッチ＜Ｂ＞は、ピン挟持箇所＜４ｃ＞の位置が相違するだけで、それ以外の構成は全て同じである。また、以下の図１３を用いた説明はキャッチ＜Ａ＞及びキャッチ＜Ｂ＞の双方に共通するため、構成はキャッチ＜Ａ＞についてのみ説明する。
また、以下の説明及び図１３において「＜＞」で囲った符号は、特許文献１に記載の符号であり、「＜アルファベット＞」の符号は出願人が便宜上付与したものもある。
【０００３】
まず、図１３を参照してキャッチ＜Ａ＞について説明する。
キャッチ＜Ａ＞は、樹脂製弾性体＜９＞と、樹脂製弾性体＜９＞の内に射出成型等で一体成型により内設された金属製のバネ部材＜１＞と、から構成されている。
樹脂製弾性体＜９＞は、上部側を上側湾曲凸部＜ｄ＞とし、下部側を下側湾曲凸部＜ｅ＞とし、上側湾曲凸部＜ｄ＞と下側湾曲凸部＜ｅ＞の間に凹湾曲形態で連絡してなる環状凹部＜１１＞を形成している。
バネ部材＜１＞は、中央部にピン＜７＞が通るピン穴＜５＞を形成した金属製の基板＜３＞と、この基板＜３＞の左右側部から湾曲起こし形態でカールさせて形成した一対の湾曲部＜４＞（第１の湾曲部＜４ａ＞、第２の湾曲部＜４ｂ＞）と、基板＜３＞に開けられたピン穴＜５＞と、からなっている。
樹脂製弾性体＜９＞には、ピン穴＜５＞および第１の湾曲部＜４ａ＞と第２の湾曲部＜４ｂ＞間を貫く、挿入されるピン＜７＞よりも小孔径のピン挿入穴＜１０＞が形成されている。
ピン挿入穴＜１０＞に挿入されたピン＜７＞は、第１の湾曲部＜４ａ＞と第２の湾曲部＜４ｂ＞によるピン挟持箇所＜４ｃ＞で挟持される。湾曲部＜４＞は金属製の比較的硬く変形しにくい材料である。
ピン＜７＞がピン挿入穴＜１０＞に挿入されると、第１の湾曲部＜４ａ＞と第２の湾曲部＜４ｂ＞はピン＜７＞によって外側に押され動く。このとき樹脂製弾性体＜９＞の弾性反発力が第１の湾曲部＜４ａ＞と第２の湾曲部＜４ｂ＞に働くため、ピン挿入穴＜１０＞に挿入されたピン＜７＞は、硬い第１の湾曲部＜４ａ＞と第２の湾曲部＜４ｂ＞のピン挟持箇所＜４ｃ＞で強めに挟持される。
樹脂製弾性体＜９＞の底部材である基板＜３＞には、ピン＜７＞をピン挿入穴＜１０＞に導入するためのすり鉢状の凹部＜１２＞が形成されている。
【０００４】
樹脂製弾性体＜９＞の中心に環状凹部＜１１＞が配置され、その環状凹部＜１１＞の中心位置から下方位置にピン挟持箇所＜４ｃ＞が配置されている。
上側湾曲凸部＜ｄ＞と下側湾曲凸部＜ｅ＞は同径同形態であり、その上下幅は環状凹部＜１１＞の上下幅より広い形態となっている。
また、環状凹部＜１１＞と上側湾曲凸部＜ｄ＞および下側湾曲凸部＜ｅ＞の連絡は、鈍角の無い滑らかな湾曲連絡形態となっている。
【０００５】
バネ部材＜１＞がそのピン挟持箇所＜４ｃ＞を環状凹部＜１１＞の中心位置＜Ｃ＞より下方側に位置され、その底部である基板＜３＞の底部面がすり鉢状の凹部＜１２＞に露出形態とされている。
キャッチ＜Ａ＞として、樹脂製弾性体＜９＞が大きい大キャッチと、小さい小キャッチの二種類が知られている。
バネ部材＜１＞は、樹脂製弾性体＜９＞が小キャッチに内設のものは小さく、大キャッチに内設のものはそれより大きい形態である。
【０００６】
環状凹部＜１１＞の上下幅は、上側湾曲凸部＜ｄ＞と環状凹部＜１１＞とをつなぐ連絡部の高さ方向の中心位置から、環状凹部＜１１＞と下側湾曲凸部＜ｅ＞とをつなぐ連絡部の高さ方向の中心位置までの距離である。
【０００７】
キャッチ＜Ａ＞の小キャッチの寸法は、
樹脂製弾性体＜９＞の上下幅４．０ｍｍ、
上側湾曲凸部＜ｄ＞および下側湾曲凸部＜ｅ＞の胴幅（横幅）５．４ｍｍ、
上側湾曲凸部＜ｄ＞の上下幅は１．５ｍｍ
上側湾曲凸部＜ｄ＞の指が掛かる側面部位はＲ（半径）０．９ｍｍの湾曲角形態、
下側湾曲凸部＜ｅ＞の上下幅は１．４ｍｍ、
環状凹部＜１１＞の胴幅４．５ｍｍ、
環状凹部＜１１＞の上下幅１．１ｍｍ、
環状凹部＜１１＞の凹深さ０．４５ｍｍである。
【０００８】
また、キャッチ＜Ａ＞の小キャッチは、バネ部材＜１＞の最上部が環状凹部＜１１＞の最上部位置から下方に０．２５ｍｍである。
また、ピン挟持箇所＜４ｃ＞が環状凹部＜１１＞の中心位置＜Ｃ＞より０．５３ｍｍ下方位置である。
【０００９】
キャッチ＜Ａ＞の大キャッチの寸法は、
樹脂製弾性体＜９＞の上下幅５．０ｍｍ、
上側湾曲凸部＜ｄ＞および下側湾曲凸部＜ｅ＞の胴幅（横幅）６．７ｍｍ、
上側湾曲凸部＜ｄ＞の上下幅は２．０ｍｍ、
下側湾曲凸部＜ｅ＞の上下幅は１．７ｍｍ、
上側湾曲凸部＜ｄ＞の指が掛かる側面部位はＲ（半径）１．０ｍｍの湾曲角形態、
環状凹部＜１１＞の胴幅５．７ｍｍ、
環状凹部＜１１＞の上下幅１．３ｍｍ、
環状凹部＜１１＞の凹深さ０．５ｍｍである。
【００１０】
また、キャッチ＜Ａ＞の大キャッチは、バネ部材＜１＞の最上部が環状凹部＜１１＞の最上部位置から下方に０．２７ｍｍである。
また、ピン挟持箇所＜４ｃ＞が環状凹部＜１１＞の中心位置＜Ｃ＞より０．６３ｍｍ下方位置である。
【先行技術文献】
【特許文献】
【００１１】
【特許文献１】特許第５０４１７４８号公報
【発明の概要】
【発明が解決しようとする課題】
【００１２】
以下に、樹脂製弾性体＜９＞を、第１の湾曲部＜４ａ＞（第１の挟持部）と第２の湾曲部＜４ｂ＞（第２の挟持部）の側方（図１３では右側と左側）から、親指と人差し指で摘んだ場合に生じる状態について述べる（図１３参照）。
【００１３】
≪キャッチ＜Ａ＞≫
ピン＜７＞がピン挿入穴＜１０＞に挿入されているピン挿入状態の樹脂製弾性体＜９＞を、親指と人差し指で摘み「以下「摘み」、「摘む」、「摘んで」ないし「摘んだ」等という。）、該ピン＜７＞から抜くピンからの抜き操作時の、該樹脂製弾性体＜９＞の摘み形態は以下のようである。
キャッチ＜Ａ＞が小キャッチでは５．４ｍｍ×４．０ｍｍ、大キャッチでは６．７ｍｍ×５．０ｍｍと小さいため、摘んだ指の両指先は下側湾曲凸部＜ｅ＞の下部側を下方に越えて摘んだ状態である下側凸部指掛かり摘み形態となるものである。
この下側凸部指掛かり摘み形態となる理由は、（ア）下側湾曲凸部＜ｅ＞の下部角（下部縁）が小キャッチでは半径（Ｒ）１．０ｍｍ、大キャッチでは半径（Ｒ）０．９ｍｍと大きく湾曲した湾曲下部角であり、（イ）上側湾曲凸部＜ｄ＞と下側湾曲凸部＜ｅ＞とが同じ太さで、（ウ）環状凹部＜１１＞の上下幅が１．１ｍｍないし１．３ｍｍと狭く、（エ）環状凹部＜１１＞と上側湾曲凸部＜ｄ＞および下側湾曲凸部＜ｅ＞の連絡が滑らかな湾曲連絡形態であり、（オ）摘み指からみて上下距離が４ｍｍ〜５ｍｍと小さい形態の樹脂製弾性体＜９＞は、摘む指に対して実質的には湾曲下部角形態のストレート構造体であるためである。
湾曲下部角形態のストレート構造体の４ｍｍ〜５ｍｍの小さなキャッチ＜Ａ＞を摘む場合、樹脂製弾性体＜９＞が指から抜けないようにするために、最も指掛かりが大きい箇所である下側湾曲凸部＜ｅ＞の最大突出部位よりも下方の内向き傾斜面に、指先が強くかかるような摘み動作とならざるを得ないものでもある。
このようにキャッチ＜Ａ＞からピンを抜く際には、下側湾曲凸部＜ｅ＞の下部の内向き傾斜部分に指先が強くかかった状態でキャッチ＜Ａ＞を保持することにより、ピアスピンを抜く操作を容易に行うことができる。
【００１４】
上側湾曲凸部＜ｄ＞は、小キャッチでは半径（Ｒ）０．９ｍｍ、大キャッチでは半径（Ｒ）１．０ｍｍという肉厚で鈍角の無い緩やかな湾曲突起形態である。
このような肉厚で緩やかな湾曲の湾曲突起形態は、指の摘まみ力を強めても潰れ変形が小さく、かつ、上方に反り逃げるような変形は緩やかな湾曲による滑りも加わって殆ど生じないものである。よって、指も上方への逃げが生じることがなく、よってフィット感が悪く下側湾曲凸部＜ｅ＞およびバネ部材＜１＞（ピン挟持硬質体）の位置に指が位置して、それを強く摘まむことになるものである。
【００１５】
したがって、摘んだ指の摘み力を強めると、上側軟らかめ構造部位（上側湾曲凸部＜ｄ＞）部位はほんのわずか潰れ変形し、下側硬め構造部位（環状凹部＜１１＞と下側湾曲凸部＜ｅ＞）は上側湾曲凸部＜ｄ＞の変形よりは小さな変形ないし殆ど変形しないものとなる。
そのまま、摘み力を強めると当然キャッチ＜Ａ＞は指から押し出されて行く動き（指から抜ける動き）となる。
この押し出されて行く動きを止めるためには、下側硬め構造部位（特に下側湾曲凸部＜ｅ＞）側を強く摘み、該下側湾曲凸部＜ｅ＞の下部側に指肉を回し込む摘み動作になる。
そして、下側硬め構造部位（特に下側湾曲凸部＜ｅ＞）側を強く摘むと、そこの内側に位置しているバネ部材＜１＞への両側部側からの押力が強まり、上側湾曲凸部＜ｄ＞と下側湾曲凸部＜ｅ＞のピン挟持箇所＜４ｃ＞のピン挟持力が著しく強まり、ピンからの抜く操作抵抗が著しく強まってしまうピン挟持力増強動作となるものである。
【００１６】
キャッチ＜Ａ＞は４ｍｍ〜５ｍｍと小さいく、キャッチを摘んでピンを抜く操作においては、環状凹部＜１１＞は上下の幅が狭くかつ湾曲角が小キャッチでは半径（Ｒ）０．９ｍｍ、大キャッチでは半径（Ｒ）１．０ｍｍという鈍角の無い上側湾曲凸部＜ｄ＞との緩やかな湾曲連絡であるため、上側湾曲凸部＜ｄ＞への指の掛かりが弱い。よって、上側湾曲凸部＜ｄ＞は指肉が掛かる指掛かり部位（爪掛かりを除く）としての機能は弱いものである。
また、下側湾曲凸部＜ｅ＞の下部面に指を掛けないで摘んだ場合、または上側湾曲凸部＜ｄ＞、環状凹部＜１１＞および下側湾曲凸部＜ｅ＞の側部面のみに指を掛けて摘んだ場合には、摘む力を強めるとキャッチ＜Ａ＞が容易に指から滑り抜け落ちてしまうものである。
【００１７】
また、キャッチ＜Ａ＞は、硬質部材であるバネ部材＜１＞を樹脂製弾性体＜９＞の胴部に位置させた形態であり、かつ、バネ部材＜１＞の最上部位置が、環状凹部＜１１＞の最上部位置から下方に小キャッチでは０．２５ｍｍ、大キャッチでは０．２７ｍｍ（弾性構造体胴部）と極めて狭い配置とされている。
このため、環状凹部＜１１＞（弾性構造体胴部）は全体が、バネ部材＜１＞による硬めの構造となっており、かつ、バネ部材＜１＞位置する下側湾曲凸部＜ｅ＞も硬め構造部位となっている。
【００１８】
すなわち、硬質のバネ部材＜１＞が位置する環状凹部＜１１＞および下側湾曲凸部＜ｅ＞は下側硬め構造部位を形成し、バネ部材＜１＞の配置の無い上側湾曲凸部＜ｄ＞部位は上側軟らかめ構造部位を形成し、かつ、上側軟らかめ構造部位の下側硬め構造部位に連絡する部位である、バネ部材＜１＞の最上部位置と環状凹部＜１１＞の最上部位置（＝上側湾曲凸部＜ｄ＞の最下部位置）のキャッチ離れ区間は、小キャッチでは０．２５ｍｍ、大キャッチでは０．２７ｍｍという狭いキャッチ離れ距離であるものである。
このため、キャッチ＜Ａ＞は、狭いそのキャッチ離れ区間は摘まみ力によって伸びることは殆んど無いないものであり、かつ、上側湾曲凸部＜ｄ＞の上方逃げ変形が生じ難いことによって、指の摘み力強め操作では下側硬め構造部位も強く摘まむことになり、ピン挟持箇所＜４ｃ＞のピン挟持力が著しく強まってしまうピン挟持力増強動作になるものである。
【００１９】
また、キャッチ＜Ｂ＞に関して、特許文献１の段落［００１８］において、「ピン＜７＞を受ける際には、キャッチの外周に形成されている環状凹部＜１１＞を指先や爪の先で摘むことができる」と記載されている。
しかし、実際には下側湾曲凸部＜ｅ＞の下部面に指を掛けず、指先（指先肉）を環状凹部＜１１＞に位置させて摘まもうとしても、摘み力を強めると即指から滑り抜け落ちるため、指肉での摘みではピンを抜く操作がし難いものである。
これに対し、親指爪と人差し指爪を環状凹部＜１１＞に入れて摘むと、比較的しっかりとキャッチを摘むことができ、容易に抜き操作を行うことができる。
よって、キャッチ＜Ａ＞、＜Ｂ＞ともに、環状凹部＜１１＞は「爪掛かり部」ないし「爪摘み部」として機能するものであり、指肉に掛かる「指摘み部」としては機能しないものであるとするのが相当であるものである。
【００２０】
爪が長い人、爪に付けたネイルが長い人は、指先や爪で摘むことが難しいので、通常は、爪同士が当たらない親指と人差し指の横腹部位同士で摘む指横腹部位摘み形態（図５の図（ｂ）参照）。）にして、ピンからの着脱操作をおこなっている。
かかる指横腹部位摘み形態では、キャッチ＜Ａ＞、＜Ｂ＞は前述したように摘み力を強めると指から押し出され抜け落ちてしまう。
【００２１】
≪キャッチ＜Ｂ＞について≫
特許文献１のキャッチ＜Ｂ＞では、第１の湾曲部＜４ａ＞および第２の湾曲部＜４ｂ＞の上下方向のほぼ中心位置にある挟持箇所＜４ｃ＞は、環状凹部＜１１＞の中心位置＜Ｃ＞とほぼ同じ位置にある。また、第１の湾曲部＜４ａ＞および第２の湾曲部＜４ｂ＞の最上部であるバネ部材＜１＞の最上部は環状凹中心位置＜Ｃ＞より上方に位置している。
【００２２】
また、樹脂製弾性体＜９＞内のバネ部材＜１＞の最上部が環状凹部＜１１＞の最上部位置から上方に位置している。大キャッチでは０．４３ｍｍ、小キャッチでは０．３７ｍｍの位置である。
【００２３】
よって、バネ部材＜１＞がある環状凹部＜１１＞付近は、該硬質のバネ部材＜１＞により、変形し難い中央硬めの構造となっている。
このようなバネ部材＜１＞が中心に位置している形態においても、キャッチ＜Ｂ＞を摘んだときの摘み力による内側への押圧力が、該バネ部材＜１＞に強く作用する。従って、前記したキャッチ＜Ａ＞で述べたことと同様なピン挟持力増強動作となるものである。
【００２４】
本発明は以上のような従来技術の欠点に鑑み、弾性構造体を指で摘みその摘み力を強めてのピンからの抜き操作において、ピン挟持箇所のピン挟持力が著しく増大して著しく抜き難くなることが生じないピアス用キャッチを提供することを目的としている。
【課題を解決するための手段】
【００２５】
上記目的を達成するために、本発明は次に述べるような構成となっている。
＜請求項１記載の発明＞
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部の横幅より横幅が小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記ピン挟持硬質体の最上部位置が、前記弾性構造体胴部の最上部位置より０．６ｍｍ以上下方に位置していて、
前記ピン挟持硬質体の無い前記弾性構造体のみの部位が上側軟らかめ構造部位を形成していて、
前記上側軟らかめ構造部位より下側は前記ピン挟持硬質体を有する下側硬め構造部位を形成していて、
親指と人差さ指で前記弾性構造体上側凸部と前記弾性構造体胴部を摘み、その摘み力を強めると、前記上側軟らかめ構造部位は上下方向に伸びる胴部伸び形態となる形態であることを特徴とするピアス用キャッチである。
【００２６】
「弾性材料」は、シリコンゴム製部材、天然ゴム製部材、合成ゴム製部材、弾性合成樹脂製部材などである。
「ピン挿入孔」は、止り孔形態、貫通孔形態を含む。
弾性構造体へのピン挟持硬質体の内設形態は、全部位を埋設した全部位埋設形態、一部を弾性構造体の底部から露出した一部露出形態を含む。
また、「弾性材料からなる上下距離が３．５ｍｍ〜１０．０ｍｍ、横幅が３．５ｍｍ〜１０．０ｍｍの弾性構造体」の前記距離は、弾性構造体の最も上下距離の長い部位の上下距離であり、最も横幅が長い部位の横幅距離である。
これらのことは、以下の請求項の発明においても同様である。
【００２７】
＜請求項２記載の発明＞
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部の横幅より横幅が小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記弾性構造体上側凸部の上下幅が０．６ｍｍ〜２．０ｍｍであり、かつ、該弾性構造体上側凸部が指に掛かる鈍角部位又は鋭角部位を有する形態であり、前記鈍角部位および前記鋭角部位が湾曲角形態では半径０．５ｍｍ以下の湾曲角であり、
前記ピン挟持硬質体の無い前記弾性構造体のみの部位が上側軟らかめ構造部位を形成していて、
前記上側軟らかめ構造部位より下側は前記ピン挟持硬質体を有する下側硬め構造部位を形成していて、
親指と人差さ指で前記弾性構造体上側凸部と前記弾性構造体胴部を摘み、その摘み力を強めると、前記上側軟らかめ構造部位は上下方向に伸びる胴部伸び形態となる形態であることを特徴とするピアス用キャッチである。
【００２８】
＜請求項３記載の発明＞
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体の上部側を形成している側部に出っ張った形態の、前記弾性構造体を摘んだ指に掛かる部位である弾性構造体上側凸部と、
前記弾性構造体の前記弾性構造体上側凸部より下方を形成している、該弾性構造体上側凸部の横幅より横幅が小幅形態の弾性構造体胴部と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、を備えてなるとともに、
前記弾性構造体胴部の上下幅が１．３ｍｍ以上であり、かつ、前記ピン挟持硬質体の最上部位置が該弾性構造体胴部の中心位置より下方に位置していて、
前記ピン挟持硬質体の無い前記弾性構造体のみの部位が上側軟らかめ構造部位を形成していて、
前記上側軟らかめ構造部位より下側は前記ピン挟持硬質体を有する下側硬め構造部位を形成していて、
親指と人差さ指で前記弾性構造体上側凸部と前記弾性構造体胴部を摘み、その摘み力を強めると、前記上側軟らかめ構造部位は上下方向に伸びる胴部伸び形態となる形態であることを特徴とするピアス用キャッチである。
【００２９】
＜請求項４記載の発明＞
前記弾性構造体上側凸部が全周に渡り設けられてなることを特徴とする請求項１又は３記載のピアス用キャッチである。
【００３０】
＜請求項５記載の発明＞
前記弾性構造体胴部の下部側に該弾性構造体胴部より側部側に出っ張った形態の弾性構造体下側凸部を設け、前記弾性構造体下側凸部に前記ピン挟持硬質体の半分以上が位置してなることを特徴とする請求項１〜３又は４記載のピアス用キャッチである。
【００３１】
＜請求項６記載の発明＞
弾性構造体上側凸部の表面に微細な凸凹からなる梨地部位が形成され、かつ、前記凸凹は鏡面凸凹であり、前記梨地部位により前記弾性構造体の金型からの抜き出しを容易にしたことを特徴とする請求項１〜４又は５記載のピアス用キャッチである。
【発明の効果】
【００３２】
本発明は次に述べるような効果を奏する。
＜請求項１記載の発明の効果＞
（１）ピン挟持硬質体の最上部位置が、弾性構造体胴部の最上部位置より１ｍｍ以上（従来技術の３倍以上）下方に位置してなる広い上下距離となっている。
よって、弾性構造体上側凸部と弾性構造体胴部の１ｍｍ以上の部位が、ピン挟持硬質体の無い弾性構造体のみの上側軟らかめ構造部位を形成している。それより下側はピン挟持硬質体を有する下側硬め構造部位を形成している。
よって、親指と人差さ指で弾性構造体上側凸部と弾性構造体胴部を摘み、その摘み力を強めると、上側軟らかめ構造部位は潰れ変形するともに、弾性構造体上側凸部には押し上げ作用が働き、下側硬め構造部位には押し下げ作用が働き、上側軟らかめ構造部位を形成している弾性構造体胴部（以下「軟らか構造形成胴部位」という。）は指による押し潰し作用と前記押し上げ作用と前記押し下げ作用によって、上下方向に伸びる伸び形態（以下「胴部伸び形態」という。）となる。
また、弾性構造体上側凸部の下部も上方に押され反り上がった反り逃げ形態となる。
【００３３】
前記胴部伸び形態では、ピン挟持硬質体が位置している下側硬め構造部位は下方へ押し逃がす形態であるので、摘み指の摘み力がピン挟持硬質体に直接的には作用することが無いないし小さい挟持力非作用形態となる。
よって、親指と人差し指で弾性構造体を摘んでその摘み力を強めてピンから抜き操作を行う際に、ピン挟持体のピン挟持力を直接的には強めることのないピアス用キャッチを実現している。
また、胴部伸び形態によって摘み指による摘み感が、確りとした安定感、安心感のあるもの、フィット感のある摘み持ちやすさが良好なピアス用キャッチを実現している。
【００３４】
キャッチの親指と人差し指による摘み形態は指先による摘み形態以外に、指横腹部位摘み形態がある。
これは、爪が長いないし長いネイルを付けているなどによって、指先では摘まめないので、爪同士が当たらない親指と人差し指の横腹部位同士で摘む指横腹部位摘み形態である（図５の図（ｂ）参照）。
このような指横腹部位摘み形態でも、本発明はフィット感の良い摘み持ちと抜き易さを実現する。
【００３５】
＜請求項２載の発明の効果＞
弾性構造体上側凸部の上下幅が０．６ｍｍ〜２．０ｍｍであり、かつ、該弾性構造体上側凸部が指に掛かる鈍角部位又は鋭角部位を有する形態であり、前記鈍角部位および前記鋭角部位が湾曲角形態では半径０．５ｍｍ以下の湾曲角である。
よって、弾性構造体上側凸部の鈍角部位又は鋭角部位が、指の摘まみ力を強めるとより指に食い込み、滑り難い摩擦大の強い掛かり状態となる。この強い掛かり状態により上下幅０．６ｍｍ〜２．０ｍｍの弾性構造体上側凸部は上方（図において）に反り逃げる反り逃げ形態となり、その反り逃げ距離だけ指の摘み部位がピン挟持硬質体から離れる指逃げ形態とになる。この指逃げ形態によってピン挟持硬質体の直接的抑え込みが回避され、ピン挟持体のピン挟持力を直接的には強めることのないピアス用キャッチを実現する。また、摘み力の低減化、フィット感と摘み持ちやすさの向上を実現する。
【００３６】
＜請求項３載の発明の効果＞
弾性構造体胴部の上下幅が１．３ｍｍ以上であり、かつ、ピン挟持硬質体の最上部位置が該弾性構造体胴部の中心位置より下方に位置してなる形態である。
よって、弾性構造体胴部とピン挟持硬質体の最上部位置との距離は０．６５ｍｍ以上（１．３÷２）である。０．６５ｍｍ以上は、特許文献１の発明の大キャッチの０．２７ｍｍ、小キャッチの０．２５ｍｍの、２倍以上の距離である。
すなわち、弾性構造体胴部のピン挟持硬質体の無い上側軟らかめ構造部位の上下距離が０．６５ｍｍ以上と長いので、該上側軟らかめ構造部位が伸びやすい形態となっている。この上側軟らかめ構造部位が伸びやすい形態によって、指の摘まみ力を強めると該上側軟らかめ構造部位が伸び、その伸びた距離だけ指の摘み部位がピン挟持硬質体から離れる指逃げ形態とになる。この指逃げ形態によってピン挟持硬質体の直接的抑え込みが回避され、ピン挟持体のピン挟持力を直接的には強めることのないピアス用キャッチを実現する。また、摘み力の低減化、フィット感と摘み持ちやすさの向上を実現する。
【００３７】
＜請求項４載の発明の効果＞
請求項１又は３記載の発明と同様な効果を奏する。
【００３８】
＜請求項５記載の発明の効果＞
請求項１〜３又は４記載の発明と同様な効果を奏するとともに、次に述べるような効果を奏する。
（１）弾性構造体下側凸部で指先が外側に逃がされ、該弾性構造体下側凸部の側部を強く摘むことが回避されるので、ピン挟持硬質体への影響が弱められる。
また、弾性構造体下側凸部に当たっている指先の押力によって該弾性構造体下側凸部が下方に押し下げられ、横押しの作用を下方に逃がすので、ピン挟持硬質体への影響が弱められる。
弾性構造体下側凸部の横肉厚によって指の摘み力が緩和され、ピン挟持硬質体への影響が緩和される。
【００３９】
（２）弾性構造体下側凸部にピン挟持硬質体の半分以上が位置した形態であるので、ピン挟持硬質体に付勢力を与える弾性体構造部位の側部厚みを弾性構造体下側凸部によって十分に確保することができる。
これによって、ピン挟持硬質体周辺の強度を考慮することなく、弾性体構造体胴部の胴太さの一部ないし全部を、細い形態（くびれを含む）とすることを可能としている。例えばピン挟持硬質体の横幅よりも細い胴部とすることも可能とする。
細い胴部とすることによって、弾性体構造体胴部をより伸びやすく、伸びの大きいものとすることを可能とする。
【００４０】
＜請求項６記載の発明の効果＞
請求項１〜４又は５記載の発明と同様な効果を奏するとともに、弾性構造体上側凸部の表面に形成された微細な凸凹からなる滑り止め部位は、摘んだ指の滑り難さと指掛かりを強化し、よって摘み易さと抜き操作易さを大きく向上したものとしている。
また、上型、弾性構造体上側凸部と弾性構造体胴部が形成される非分割の中型、下型で形成する形態では、前記中型からの抜き易さを実現している。
【図面の簡単な説明】
【００４１】
【図１】本発明の実施例１の平面図（ａ）および正面図（ｂ）。
【図２】本発明の実施例１の右側面図（ａ）および底面図（ｂ）。
【図３】本発明の実施例１のピアスピンを通した状態の正面図。
【図４】本発明の実施例１の中央縦断面図。
【図５】本発明の実施例１の強めに摘んだ状態例図（ａ）および親指と人差し指の横原で摘んだ状態を示す斜視図（ｂ）。
【図６】本発明の実施例１の成型金型を示す断面図。
【図７】本発明の実施例２の平面図（ａ）および正面図（ｂ）。
【図８】本発明の実施例３の正面図。
【図９】本発明の実施例４の正面図。
【図１０】本発明の実施例５の部分断面正面図。
【図１１】本発明の実施例６の正面図。
【図１２】本発明の実施例７の正面図。
【図１３】従来技術を示す断面図（ａ）および寸法図（ｂ）。
【発明を実施するための形態】
【００４２】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【００４３】
各図において、透明な弾性構造体の内側に見える部材および部位は細線で表現している。
また、挟持箇所の付勢挟持力増強は、弾性構造体を摘んだ指の摘み箇所が第１の挟持部と第２の挟持部の側方箇所（図では左側、右側）である場合に生じる現象である。正面側と背面側からの摘みでは起きない。
【実施例１】
【００４４】
図１〜６に示す本発明の実施例において、ピアス用キャッチ１は次に述べるような構成となっている。
シリコンゴム製部材、天然ゴム製部材、合成ゴム製部材、弾性合成樹脂製部材などの、指で摘んだその摘み力を強めると弾性変形する弾性材料からなる、指で摘んでピアスピンであるピン３への挿入と抜き操作を行う弾性構造体２と、
この弾性構造体２の底部から上方に向けて設けられた、ピン３を挿入するピン挿入孔４４と、
弾性構造体２の上部側を形成している、弾性構造体２を摘んだ指に食い込み掛かる、側部に全周に渡り出っ張った形態で下部角が略直角（鈍角であればよい）の弾性構造体上側凸部１０と、
弾性構造体２の弾性構造体上側凸部１０より下方を形成している、該弾性構造体上側凸部１０より小幅形態の弾性構造体胴部８と、
この弾性構造体胴部８の下部に形成された側部に全周に渡り出っ張った形態の、弾性構造体上側凸部１０より横突出幅が大とされた弾性構造体下側凸部９と、
この弾性構造体下側凸部９の上部面、該上部面と弾性構造体胴部８の連絡面、または該上部面と該連絡面とからなる、弾性構造体２を摘んだ指の指先を止める指あたり部位１１と、
弾性構造体下側凸部９内に半部以上を位置させて一体成型により内設された、ピン挿入孔４に挿入状態にあるピン３を対抗挟持形態で挟持する、プレート強靭化のためのビード１５が形成されている第１の挟持部６ａと第２の挟持部６ｂを有してなる硬質製部材からなるピン挟持硬質体６と、
第１の挟持部６ａと第２の挟持部６ｂのピン３を挟持する箇所であるピン挟持箇所６ｃと、を備えた構成となっている。
【００４５】
第１の挟持部６ａと第２の挟持部６ｂはその内側と周囲も含めて弾性構造体２が充填密着した一体構造体となっている。
これにより、挿入されたピン３は第１の挟持部６ａと第２の挟持部６ｂを横外向きに押しのけて挿入される。
このピン３の挿入では、硬質性部材ある第１の挟持部６ａと第２の挟持部６ｂは変形することなく、弾性構造体２を押しのけ変形させながら横外方向に開き移動される。
弾性構造体２には第１の挟持部６ａと第２の挟持部６ｂをその弾性反発力で押し戻そうとする弾性押し戻し力が常に作用した状態となり、この弾性押し戻し力によって第１の挟持部６ａと第２の挟持部６ｂのピン３を挟持する挟持力が強められている。
【００４６】
弾性構造体２は円柱形態であるのでその各部位の横幅は直径である。
弾性構造体２の寸法は、上下幅５．０ｍｍ、横幅５．５ｍｍ。
弾性構造体下側凸部９の上下幅１．８ｍｍ（１．５５＋０．２５）、横幅５．５ｍｍ、上部縁角１６の湾曲カットはＲ０．２５ｍｍの鈍角。
上部連絡部７の上下幅０．５５ｍｍ。
下部連絡部１６の上下幅０．５ｍｍ。
弾性構造体上側凸部１０の上下幅０．９７５ｍｍ、横幅５．０ｍｍ。
弾性構造体胴部８は上下幅２．５５ｍｍ、胴径４．５ｍｍ。（弾性構造体胴部と弾性構造体上側凸部の間に傾斜連絡部（湾曲を含む）がある形態は、該傾斜連絡部の中心位置から下方を弾性構造体胴部である。弾性構造体胴部と弾性構造体下側凸部との間に傾斜連絡部がある形態も同様である。）
弾性構造体胴部８の胴深さは、弾性構造体上側凸部１０からは０．２５ｍｍ、弾性構造体下側凸部９からは０．７５ｍｍ。
ピン挟持硬質体６は、高さ１．８ｍｍ、幅４．０ｍｍ。
【００４７】
本発明は前記寸法に限定されるものではない。
弾性構造体の高さは、３．５ｍｍ〜１０．０ｍｍ、好ましくは４．０ｍｍ〜８．０ｍｍ、より好ましくは４．５ｍｍ〜６．５ｍｍがよい。
弾性構造体の横幅は、３．５ｍｍ〜１０．０ｍｍ、好ましくは４．０ｍｍ〜８．０ｍｍ、より好ましくは４．０ｍｍ〜６．５ｍｍがよい。
弾性構造体上側凸部の横幅は、３．０ｍｍ〜８．０ｍｍ、好ましくは３．５ｍｍ〜７．０ｍｍ、より好ましくは４．０ｍｍ〜６．５ｍｍがよい。
弾性構造体胴部の高さは、１．３ｍｍ以上、好ましくは１．６ｍｍ以上、より好ましくは１．８ｍｍ以上がよい。
弾性構造体胴部の太さは、直径２．０ｍｍ〜６．５ｍｍ、好ましくは２．５ｍｍ〜５．５ｍｍ、より好ましくは３．０ｍｍ〜５．０ｍｍがよい。
【００４８】
弾性構造体上側凸部１０は上下幅０．９７５ｍｍとしている。
それは、２．０ｍｍ以上だと幅広（厚肉）のため上方への反り逃げが悪くなり、０．６ｍｍ以下だと凸部の潰れ変形が大きすぎて指への掛かり（食い込み）が悪くなるからである。
適当な反り逃げが得られる弾性構造体上側凸部１０の上下幅は、０．６ｍｍ〜２．０ｍｍ、好ましくは、０．６ｍｍ〜１．７ｍｍ、より好ましくは０．６ｍｍ〜１．５ｍｍ、さらに好ましくは０．７ｍｍ〜１．２ｍｍとするのがよい。
また、弾性構造体上側凸部１０の下部側の指掛かり部位または指食い込み部位は、鈍角形態ないし鋭角形態とするのがよく、該鈍角形態および鋭角形態は湾曲角形態では半径０．５ｍｍ以下の湾曲角とするのが、良好な指への掛かり状態を得るものとできる。
【００４９】
弾性構造体上側凸部１０の頂部形態は、緩やかな湾曲面としている。これによって、中のピン挟持硬質体６が大きく見える凸レンズの機能を果たしている。また、緩やかな湾曲面とすることで、弾性構造体上側凸部１０の上下肉厚幅を、摘み時の掛かりと反り逃げが好適となる厚さにしている。
【００５０】
（１）ピン挟持硬質体６の最上部位置が、弾性構造体胴部８の最上部位置より１．７２５ｍｍ下方（０．６ｍｍ以上）に位置してなる広い上下距離となっている。
よって、弾性構造体上側凸部１０と弾性構造体胴部８の１．７２５ｍｍ部位（０．６ｍｍ以上）が、ピン挟持硬質体６の無い弾性構造体２のみの上側軟らかめ構造部位となっている。それより下側はピン挟持硬質体６を有する下側硬め構造部位となっている。
よって、親指と人差さ指で弾性構造体上側凸部１０と弾性構造体胴部８を摘みその摘み力を強めると、上側軟らかめ構造部位は潰れ変形する。その変形および指のハの字摘み形態によって、弾性構造体上側凸部１０には押し上げ作用が働き、下側硬め構造部位には押し下げ作用が働く。そして、上側軟らかめ構造部位を形成している弾性構造体胴部８（以下「軟らか構造形成胴部位」という。）は指による押し潰し作用と前記押し上げ作用と前記押し下げ作用によって、上下方向に伸びる伸び形態（以下「胴部伸び形態」ともいう。）となる。また、弾性構造体上側凸部１０の下部も上方に押し反り上がった反り逃げ形態となり、指の弾性構造体胴部８への入りと潰しを行い易くする。
【００５１】
この胴部伸び形態は、ピン挟持硬質体６が位置している下側硬め構造部位は下方へ押し逃がす形態であるので、摘んだ指の摘み力がピン挟持体に直接的には作用することが無いないし小さい摘まみ力非作用形態となる。
よって、親指と人差し指で弾性構造体を摘んでその摘み力を強めてピンから抜き操作を行う際に、ピン挟持硬質体６のピン挟持力を直接的には強めることのないピアス用キャッチを実現している。
また、胴部伸び形態および弾性構造体上側凸部の反り逃げ形態によって指の摘み感が、確りとした安定感、安心感のあるもの、フィット感のある摘み持ちやすさの良いピアス用キャッチを実現している。
【００５２】
（２）摘み指の摘み部位は下方に広がるハの字摘み形態である
それに加えて、前記（１）の構造から（参考として図５参照）、弾性構造体２を親指と人差し指（中指の場合もあり）とで強めに摘んだ形態である摘み力強め形態（指横腹部位摘み形態（図５の（ｂ）図参照）を含む。）は、上側軟らかめ構造部位が潰れ下側硬め構造部位が潰れない状態であるので、摘み指は下方に向かって広がったハの字摘み形態となる。
【００５３】
前記ハの字摘み形態は、上方に行くほど指間距離が狭くなる形態である。それは、上方に行くほど摘み力が強くなる摘み形態である。
よって、ハの字摘み形態で摘み力を増すと、弾性構造体２の部位で強く抑える部位は、上側軟らかめ構造部位の弾性構造体上側凸部１０と弾性構造体胴部８である。上側軟らかめ構造部位は、強く摘むと弾性構造体２の上方が潰れ反り伸び状態となりかつ胴部伸び状態となる上側潰れ伸び状態となる。この上側潰れ伸び状態は、摘み力を上方に逃がす摘み力上方逃がし状態である。このハの字摘み形態による摘み力上方逃がし状態によっても、弾性構造体下側凸部９が真横からは強く摘まれない状態となる。
【００５４】
前記（１）、（２）によって、第１の挟持部と第２の挟持部の挟持力が増強される横方向から、弾性構造体を指で摘んでその摘み力を強くしても、第１の挟持部と第２の挟持部が内側に寄ることが少なく、またはほとんど無い。
よって、摘み抜き操作時にピン挟持箇所の挟持力が著しく強くなることがなく、弾性構造体上側凸部１０が指に食い込み掛かっていることもあって、どの方向から摘んでもピアスピンから容易に抜くことができるピアス用キャッチを実現している。
【００５５】
ピン挟持硬質体６の最上部位置と弾性構造体胴部８の最上部位置の距離は、０．６ｍｍ以上がよい、好ましくは０．９ｍｍ以上がよい、より好ましくは、１．３ｍｍ以上がよい、さらに好ましくは１．５ｍｍ以上がよい。
【００５６】
弾性構造体上側凸部１０の下部角である角カットの無い鈍角部位または鋭角部位が指への食い込み掛かりを強くするので、弾性構造体上側凸部１０の滑り難さを実現し、その反り逃げ形態もより大きくなる。
よって、摘み力の低減化、フィット感と摘み持ちやすさの向上を実現する。
上記鈍角ないし鋭角とは、半径０．３ｍｍ以内の湾曲角ないし直線カット３ｍｍ以内のカット角である。
【００５７】
弾性構造体下側凸部９の機能について述べる。
（１）弾性構造体下側凸部９で指先が外側に逃がされ、該弾性構造体下側凸部９の側部を強く摘むことが回避されるので、ピン挟持硬質体６への影響が弱められる。
また、弾性構造体下側凸部９に当たっている指先の押力によって該弾性構造体下側凸部９が下方に押し下げられ、横押しの作用を下方に逃がすので、ピン挟持硬質体６への影響が弱められる。
弾性構造体下側凸部９の肉厚によって指摘み力が弱められ、ピン挟持硬質体６への影響が弱められる。
（２）弾性構造体下側凸部９にピン挟持硬質体６の半分以上が位置した形態であるので、ピン挟持硬質体６に付勢力を与える弾性体構造部位の側部厚みを弾性構造体下側凸部によって十分に確保することができる。
これによって、弾性体構造体胴部８の胴太さの一部ないし全部を、細い形態（くびれを含む）とすることを可能としている。例えばピン挟持硬質体６の横幅よりも細い胴部とすることも可能とする。
細い胴部とすることによって、弾性体構造体胴部８をより伸びやすい形態にできる。
【００５８】
「ピン挿入孔４」は止り孔形態でもよい。
「弾性構造体下側凸部９に内設された、または弾性構造体下側凸部９から弾性構造体胴部８にまたがる形態で内設された、・・・ピン挟持硬質体６」には、全部位を埋設した全部位埋設形態（全部部位内設形態）とするのもよいし、一部を弾性構造体胴部８の底部から露出した一部露出形態（一部部位内設形態）とするなどの形態などがある。
【００５９】
指あたり部位１１位置が、ピン挟持硬質体６と略同じかそれより上方に位置するようにするのもよい。
また、弾性構造体下側凸部９の上部縁角に上方に突出する小凸部を設け、指当たりをより感じやすいものとするのもよい。
【００６０】
上部縁角１６は指あたり部位が広くなるよう、かつ、角を感じ易くなるようより鈍角とするのがよい。
弾性構造体を指で軽く摘んだ指横腹部位摘み形態で、該指の指腹で該指あたり部位の当たりを確かに感じ取ることができる指あたり部位の形態は多様な形態がある。
例えば、弾性構造体胴部より０．７ｍｍ以上横に突出している形態、図１０に示すような指先が感じる凸凹や突起を設けた形態、弾性構造体下側凸部の上部縁に行くほど高くなるテーパー形態としたもの、弾性構造体胴部の太さと弾性構造体下側凸部の突出形態の関係、弾性構造体胴部の１．３ｍｍ以上の上下距離などが例示できる。
【００６１】
本実施例１では、弾性構造体２は透明なシリコンゴム製部材からなっている。
弾性構造体２に内設されたピン挟持硬質体６はゴールド、ホワイトゴールドまたはピンクゴールドなどの光沢性の金製部材からなっている。よって、ピン挟持硬質体６は透明な弾性構造体２によって、外からその色彩や形状が見える。
上部部位２１は緩やかな凸湾曲である凸レンズとして機能して、中のピン挟持硬質体６を大きく見せる。
ピン挟持硬質体６の露出している底部面には１４Ｋなどの刻印が施され、該露出形態によってルーペで即確実に確認できる。
ピアス用キャッチ１は、金型６０内にピン挟持硬質体６がセットされた状態で、加熱熔融したシリコンゴムが金型内に圧縮送り込まれ充填されて形成される。（図６参照）
非透明の弾性構造体も本発明の技術的範疇に含まれるものである。
【００６２】
ピン挟持硬質体は、ゴールドなどの貴金属に限定されず、チタン、ステンレス、メッキした鋼材、硬質性合成樹脂製部材など多種、多様な形態がある。
また、その形態も挟持部が外側から内側に向かう湾曲形態に限られず、例えば図７に示すような内側から外側に向かう形態など多様な形態がある。
【００６３】
下部連絡部１４、弾性構造体下側凸部９の上部角および下部角は、５ｍｍという小ささから視覚的には湾曲角とは見えない、鈍角に見える。すなわち、意匠的、実質的には下部連絡部１４、弾性構造体下側凸部９の上部角線および下部線は一本の直線として見える。
【００６４】
摘み易さを優先させた場合、弾性構造体２の上下幅および横幅を０．５ｍｍ程度大きくした、上下幅５．５ｍｍ、横幅６．０ｍｍの大きめの弾性構造体とするのがよい。
この場合、弾性構造体上側凸部１０、弾性構造体下側凸部９の上下幅、弾性構造体胴部８の胴太さは変えない。よって、弾性構造体胴部８の上下幅が２．４７５ｍｍとなる。
一見しただけで、弾性構造体２のものより大きめの弾性構造体が一回り大きく見える。
全体が一回り大きくなりかつ弾性構造体胴部８の上下幅が２．４７５ｍｍと長くなっていることから、掴み易さとフィット感がよりよいものとなる。
横幅を変えない上下幅のみを大きくした形態もよい。
【００６５】
図６はピアス用キャッチ１の成型金型例を示している。
金型６０は弾性構造体２の最上部である上部部位２１を形成する上型６１と、弾性構造体上側凸部１０の全部、弾性構造体胴部８の全部および弾性構造体下側凸部９の下部湾曲縁部位を除く大部分を形成する中型６２と、弾性構造体下側凸部９の下部湾曲縁部位を形成する下型６３とからなっている。
中型６２は非分割型であり、単に形成孔が設けられた形態である。
また、中型６２の弾性構造体下側凸部９および弾性構造体胴部８の上部箇所には、ＳＧ＃１１６のホーニングによって梨地部位６５が形成されている。
この梨地部位６５によって、弾性構造体下側凸部９および弾性構造体胴部８の上部箇所の表面には、図においてはハッチングで表現した微細な凸凹部位である滑り止め部位２１が形成されている。
【００６６】
梨地部位６５に磨き処理（鏡面処理）を行わなければ、滑り止め部位２１は、透明部材である弾性構造体２にあっては、薄っすらとした曇り状態に見える。それは弾性構造体２内のピン挿入孔４や挿入されたピン３は明確に見える臼曇り形態である。
滑り止め部位２１は摘んだ指が滑り難く滑り止めとして機能し、弾性構造体２の摘み易さの安定性、弱い摘み力でのピンからの抜き取りやすさなど、ピン抜き操作性を大きく向上させる。
【００６７】
本実施例１においては、ホーニングによって梨地部位６５を形成した後で、梨地部位６５を凸凹が無くならない程度で鏡面磨き処理を行っている。
こうすることで、滑り止め部位２１の薄曇り状態が解消され、表面は光沢があって内部の透過が良好となり、肉眼では臼曇り状態が明確には認視できない程度となる。
滑り止め部位２１は光沢の凸凹部位となっているが、滑り止めとして機能する。中型６２からの抜けやすさも機能する。
【００６８】
中型６２内にあるピアス用キャッチ１の取り出しは、上型６１および下型６３が固定されているプレス機から中型６２を取り外し、取り出し用の治具にセットし、ピアス用キャッチ１の上部を１．２ｍｍの押し出しピンによって押し、押し出すことで行う。
押し出しピンが１．２ｍｍ以上の太さだと、弾性構造体２の外側への押し量が大きく、抵抗も増大し、抜いた後の弾性構造体２の変形が戻らない、当初の意匠形態が損なわれる。
押し出しピンが１．２ｍｍ以下の太さだと、押し出しピンがピン挿入孔４に潜り込み押し出し抜きができない。
これは、中型６２の突出部位６５である弾性構造体上側凸部１０が掛かる部位が鏡面仕上げであるため、両者の密着が極めて高く摩擦ないし吸盤的作用が著しく大きいためと考えられる。
梨地部位６５を設けることで、中型６２内にあるピアス用キャッチ１は、１．２ｍｍの押し出しピンの押し出し操作で、変形も少なく、ピン挿入孔４へ押し出しピンの潜り込みも生じない、良好な押し出しが実現される。
【００６９】
しかるに、１０×１０＝１００の１００個取りの金型とした場合、梨地部位６５が無い金型では、１００本の押し出しピンによる一斉の押し出しは、人が全体重をかけたとしても容易には抜けない。例えば身近にあった５０ｔ級のプレスの使用によって可能であった。
これに対して、梨地部位６５を設けた金型では、人が軽く体重をかけただけで、１００個一斉に容易に抜き出すことができる。よて、高い生産性を実現する。
【実施例２】
【００７０】
図７に示す本発明の実施例２において、前記実施例１と主に異なる点は、ピン挟持硬質体をピン挟持硬質体１９としたピアス用キャッチ１７を形成した点にある。
ピン挟持硬質体１９は、ピン通し孔１３を有するベース部１８と、前記ベース部１８の左側が内側上に曲がり上り傾斜直線形態で先端が外側に曲がってなる第１の挟持部１９ａと、ベース部１８の右側が内側上に曲がり上り傾斜直線形態で先端が外側に曲がってなる第２の挟持部１９ｂと、第１の挟持部１９ａと第２の挟持部１９ｂのピン３を挟持する箇所であるピン挟持箇所１９ｃとからなっている。
【００７１】
下部連絡部を直角形態の隅角である下部連絡部２０としている。
この結果、弾性構造体胴部８の上下距離は２．２２５ｍｍとなっている。
【００７２】
ピン挟持硬質体１９の最上部位置が弾性構造体胴部８の胴部中心位置Ｃより下方に位置している。
指あたり部位１１がピン挟持箇所１９ｃより上方に位置している。
ピン挟持硬質体１９の最上部位置が弾性構造体胴部８の胴部中心位置Ｃより下方に位置する範囲で、ピン挟持箇所１９ｃが指あたり部位１１より上方に位置する形態でもよい。
【実施例３】
【００７３】
図８に示す本発明の実施例３において、前記実施例１と主に異なる点は弾性構造体を弾性構造体２９とし、ピン挟持硬質体６の全部を弾性構造体２９内に埋設してなる形態のピアス用キャッチ３０を形成した点にある。
弾性構造体２９は、弾性構造体胴部３１と、弾性構造体胴部３１の上部に形成した該弾性構造体胴部３１よりも幅広の弾性構造体上側凸部３２と、弾性構造体胴部３１の下部に形成した該弾性構造体胴部３１よりも幅広で弾性構造体上側凸部３２よりも幅狭の弾性構造体下側凸部３３とからなっている。
弾性構造体２９の下部にはピン通し孔１３に連絡するピン３を該ピン通し孔１３に誘導する誘い込み部３４が形成されている。
形成する金型の中型は割り型である。
【００７４】
弾性構造体下側凸部３３の上部の指あたり部位３５は、その縁角を略直角である鈍角としかつピン挟持箇所６ｃの上方に位置し、ピン挟持硬質体６の全部は弾性構造体２９内とされている。
また、弾性構造体上側凸部３２の下部縁角２７および上部縁角２８は鈍角という、２か所の鈍角を有した形態となっている。
また、弾性構造体上側凸部３２の上下幅（肉厚）は０．８ｍｍ（０．６ｍｍ〜２．０ｍｍの範囲内）としている。
【実施例４】
【００７５】
図９に示す本発明の実施例４において、前記実施例１と主に異なる点は弾性構造体を弾性構造体３８としてなるピアス用キャッチ３７を形成した点にある。
シリコンゴム製部材、天然ゴム製部材、合成ゴム製部材、弾性合成樹脂製部材などの弾性材料からなる弾性構造体３８と、
弾性構造体３８に内設された、ピン挿入孔４に挿入状態にあるピン３を対抗挟持形態で挟持する第１の挟持部６ａと第２の挟持部６ｂを有してなる硬質製部材からなるピン挟持硬質体６と、
弾性構造体３８の弾性構造体胴部４１と、
弾性構造体胴部４１の上部側の側部に形成された、弾性構造体３８を摘んだ指がかかる弾性構造体上側凸部１０と、
弾性構造体胴部４１の下部側に形成された、該弾性構造体胴部４１よりも小径の弾性構造体下側小径部４０と、
弾性構造体胴部４１の下縁角からなる下指掛かり部４２と、を備えてなるとともに、
第１の挟持部６ａと第２の挟持部６ｂが弾性構造体下側小径部４０内に位置し、
ピン挟持箇所６ｃの位置が、弾性構造体下側小径部４０と弾性構造体胴部４１の境より下方に位置し、
弾性構造体胴部４１の上下幅を１．５ｍｍとしていが、１．４ｍｍ以上がよい、好ましくは１．７ｍｍ〜以上がよい、より好ましくは１．９ｍｍ以上がよい。
【００７６】
弾性構造体３８を摘んだ指は最下部の内側に凹位置している弾性構造体下側小径部４０には届かない、または届いても摘み力が強く作用することが無い。
そして、指横腹部位摘み形態を含め摘んだ指は弾性構造体上側凸部１０と下指掛かり部４２の二箇所が食い込み掛かる二箇所摘み掛かり形態となるので、強く摘まなくても掛かり摩擦が大きく容易に抜き操作が行える。
また、強く摘まなくてよい形態によって、第１の挟持部６ａと第２の挟持部６ｂへの摘み力の影響を小さいものとしている。
そして、ピン挟持箇所６ｃが摘み作用の及ばないないし小さい弾性構造体下側小径部４０内に位置しているので、ピン挟持箇所６ｃの真横からの抑え込み作用は無い、ないし極めて小さいものとなる。よって、摘み抜き操作時にピン挟持箇所の挟持力が著しく強くなることが生じない。
【実施例５】
【００７７】
図１０に示す本発明の実施例５において、前記実施例１と主に異なる点は弾性構造体を弾性構造体４４とし、ピン挟持硬質体６の全部を弾性構造体４４内に埋設形態としてなるピアス用キャッチ４５を形成した点にある。
弾性構造体４４は、弾性構造体上側凸部を、側部を一つの尖がり形態とした弾性構造体上側凸部４６とし、弾性構造体胴部をくびれ形態の弾性構造体胴部４７としている。
摘み動作によって最も伸びるのは弾性構造体胴部４７のくびれ部４７ａとなる。
弾性構造体胴部４７のくびれ部４７ａの下部傾斜面が指あたり部位４８となる。
弾性構造体下側凸部９の縁角は小さく上方に突出した指当たり突起４９が形成されていて、指が当たったことを該指が確かに感じるようにしている。
くびれ部４７ａの胴径は３．０ｍｍとしているが、２．０ｍｍ〜３．５ｍｍであればよい。
【００７８】
弾性構造体４４の上部には上部凹部４３が設けられている。摘み力を強くした際に弾性構造体上側凸部４６の上部側が潰れ変形しやすくしている。
また、弾性構造体上側凸部４６の側部突起部位である鋭角部位は、半径０．３ｍｍ（半径０．５ｍｍ以下）の湾曲角形態となっている。
型は上型と下型のみでよい。
【実施例６】
【００７９】
図１１に示す本発明の実施例６において、前記実施例１と主に異なる点は、弾性構造体を弾性構造体下側凸部の無い弾性構造体５０とし、弾性構造体胴部を弾性構造体胴部５２としてなるピアス用キャッチ５１を形成した点にある。
【００８０】
弾性構造体５０は上下距離が３．５ｍｍ〜８．５ｍｍである。好ましくは４．０ｍｍ〜７．５ｍｍ、さらに好ましくは４．５ｍｍ〜６がよい。
【００８１】
下方に行くにしたがって広がり形態の弾性構造体胴部５２は、上下距離が４．０ｍｍである。弾性構造体胴部５２の上下距離は３．０ｍｍ〜６ｍｍがよい。
弾性構造体胴部５２の下方への広がりは、図よりも広くするのもよい。例えば、５．０ｍｍ〜６．０ｍｍ。
【００８２】
ピン挟持箇所６ｃの位置が、弾性構造体胴部５２の底部面から３．０ｍｍ以内に位置している。好ましくは２．５ｍｍ以内、より好ましくは２．０ｍｍ以内がよい。
【００８３】
（１）弾性構造体胴部５２の上下距離を４ｍｍとし、ピン挟持箇所６ｃの位置が前記弾性構造体胴部５２の底部面から２ｍｍに位置させている。
ピン挟持硬質体６を内設している弾性構造体５０の下部側は、該ピン挟持硬質体６によって変形がし難い硬めの構造である下側硬め構造部位となっており、それより上部側である弾性構造体胴部５２および弾性構造体上側凸部１０は伸縮性の弾性材料のみの上側軟らかめ構造部位となっている。
【００８４】
ピン挟持硬質体６を内設している弾性構造体５０の下部側は、該ピン挟持硬質体６によってその上部側よりは変形し難い硬めの構造である下側硬め構造部位となっている。
弾性構造体５０を親指と他の指とでの強め摘み形態は、下方に向かって広がり湾曲形態の両指がハの字形態で弾性構造体を摘んだハの字摘み形態となる。前記ハの字摘み形態は、上方に行くほど指間距離が狭くなる形態である。それは、上方に行くほど摘み力が強くなる摘み形態である。
よって、ハの字摘み形態で摘み力を増すと、弾性構造体５０の部位で強く抑える部位は最も上方にある弾性構造体上側凸部１０である。
【００８５】
よって、弾性構造体上側凸部１０が最も強く摘み抑えられ、該弾性構造体上側凸部１０が指に掛かった状態で、指の方は弾性構造体胴部５２をそれほど強く摘むことなく、ピンからの抜き操作を行うことになる。
よって、ピン挟持箇所６ｃの位置が、弾性構造体胴部５２の中央部位より下方に位置させているピン挟持硬質体６への、ピン挟持箇所６ｃの真横からの抑え込み作用は生じ難いので、第１の挟持部６ａと第２の挟持部６ｂを内側に強く押す作用は生じない、ないし生じたとしても微圧である。
よって、どの方向から摘んでもピアスピンから容易に抜くことができるピアス用キャッチを実現している。
【実施例７】
【００８６】
図１２は本発明の実施例７であって、前記実施例１と主に異なる点は、弾性構造体を弾性構造体５５としてなるピアス用キャッチ５６を形成した点にある。
弾性構造体５５は、弾性構造体胴部８にくびれ部５７を形成している。
くびれ部５７は、高さ１．２５ｍｍ、胴幅２．４０ｍｍとしている。
弾性材料の少ない細いくびれ部５７により、弾性構造体５５を強く摘んだとき、くびれ部５７が容易に伸長するので、指あたり部位１１への指の押当たりを弱くできる。
特に弾性構造体を硬めの材質にして、細いくびれ部５７を上下距離１．０ｍｍ〜２．５ｍｍで胴太さが１．７〜３ｍｍとすることにより、可視的にみても明らかに伸びる形態を実現する。
【００８７】
また、くびれ部５７が細いことから指あたり部位１１への指の当たり部位が第１の挟持部６ａと第２の挟持部６ｂの真上に近い部位になる。
よって、摘みの際の指による第１の挟持部６ａと第２の挟持部６ｂの押し抑え方向は、真上に近い上方からの作用ということになる。
よって、第１の挟持部６ａと第２の挟持部６ｂのピン挟持力を強める横からの押し抑え作用は生じないなし生じても弱いものとなる。
【００８８】
第１の挟持部と第２の挟持部の頂上部を外側に位置させる、くびれ部をより胴細形態とすれば、摘み動作によって第１の挟持部と第２の挟持部を開き動作させて、または、第１の挟持部と第２の挟持部に開き作用を与えて、ピン挟持力を弱めてピンからの抜き取りを容易に行える形態も可能である。
【００８９】
［付記］
弾性材料からなる上下距離が３．５ｍｍ〜１０．０ｍｍ、横幅が３．５ｍｍ〜１０．０ｍｍの弾性構造体と、
前記弾性構造体の底部から上方に向けて設けられた、ピアスピンを挿入するピン挿入孔と、
前記弾性構造体に内設された、前記ピン挿入孔に挿入状態にある前記ピアスピンを対抗挟持形態で挟持する第１の挟持部と第２の挟持部を有してなる、硬質製部材からなるピン挟持硬質体と、
前記弾性構造体の弾性構造体胴部と、
前記弾性構造体の上部側を形成している側部に出っ張った形態の、前記弾性構造体を摘んだ指に掛かる部位である、前記弾性構造体胴部の横幅より横幅が大幅形態の弾性構造体上側凸部と、
前記弾性構造体胴部の下部側に形成された、該弾性構造体胴部の横幅よりも横幅が小径の弾性構造体下側小径部と、
前記弾性構造体胴部の下部縁からなる、前記弾性構造体を摘んだ指が掛かる下指掛かり部と、を備えてなるとともに、
前記第１の挟持部と前記第２の挟持部の全部または一部が前記弾性構造体下側小径部内に位置し、
前記第１の挟持部と前記第２の挟持部のピンを挟持する箇所であるピン挟持箇所の位置が、前記弾性構造体下側小径部と前記弾性構造体胴部の境より下方に位置し、
前記弾性構造体胴部の上下幅が１．５ｍｍ以上であることを特徴とするピアス用キャッチ。
弾性構造体を摘んだ指は最下部の内側に凹位置している弾性構造体下側小径部には届かない、または届いても摘み力が強く作用することが無い。
そして、摘んだ指は弾性構造体上側凸部と下指掛かり部の二箇所が食い込み掛かる摘み掛かり形態となるので、強く摘まなくても掛かり摩擦が大きいので容易に抜き操作が行える。
また、強く摘まなくてよい形態によって、第１の挟持部と第２の挟持部への摘み力の影響を小さいものとしている。
そして、ピン挟持箇所が弾性構造体下側小径部と弾性構造体胴部の境より下方に位置しているので、ピン挟持箇所の真横からの抑え込み作用は無い、ないし極めて小さいものとなるので、摘み抜き操作時にピン挟持箇所の挟持力が著しく強くなることが生じない。
【産業上の利用可能性】
【００９０】
本発明は、装身具を製造、使用する産業で利用される。
【符号の説明】
【００９１】
Ｃ：胴部中心位置、
１：ピアス用キャッチ、
２：弾性構造体、
３：ピン、
３ａ：ピン溝、
４：ピン挿入孔、
５：ベース部、
６：ピン挟持硬質体、
６ａ：第１の挟持部、
６ｂ：第２の挟持部、
６ｃ：ピン挟持箇所、
７：上部連絡部、
８：弾性構造体胴部、
９：弾性構造体下側凸部、
１０：弾性構造体上側凸部、
１１：指あたり部位、
１２：誘い込み部、
１３：ピン通し孔、
１４：下部連絡部、
１５：ビード、
１６：上部縁角、
１７：ピアス用キャッチ、
１８：ベース部、
１９：ピン挟持硬質体、
１９ａ：第１の挟持部、
１９ｂ：第２の挟持部、
１９ｃ：ピン挟持箇所、
２０：下部連絡部、
２１：上部部位、
２７：下部縁角、
２８：上部縁角、
２９：弾性構造体、
３０：ピアス用キャッチ、
３１：弾性構造体胴部、
３２：弾性構造体上側凸部、
３３：弾性構造体下側凸部、
３４：誘い込み部、
３５：指あたり部位、
３７：ピアス用キャッチ、
３８：弾性構造体、
４０：弾性構造体下側小径部、
４１：弾性構造体胴部、
４３：上部凹部、
４２：下指掛かり部、
４４：弾性構造体、
４５：ピアス用キャッチ、
４６：弾性構造体上側凸部、
４７：弾性構造体胴部、
４７ａ：くびれ部、
４８：指あたり部位、
４９：指当たり突起、
５０：弾性構造体、
５１：ピアス用キャッチ、
５２：弾性構造体胴部、
５５：弾性構造体、
５６：ピアス用キャッチ、
５７：くびれ部、
６０：金型、
６１：上型、
６２：中型、
６３：下型、
６５：梨地部位。